(57)【要約】【課題】ドキュメントのデザインに対する印象を時間的な経過を考慮して評価することを可能とする。【解決手段】ドキュメントの印象を表現する選択肢群を含む印象表現データベースを参照して、ドキュメントのデザイン制作の目標とする印象に合った選択肢を印象表現データベースから選択させて取得し、第１の時刻に取得された選択肢及び第１の時刻とは異なる第２の時刻に取得された選択肢に基づいてドキュメントのデザイン制作の目標とする印象を表す目標印象情報を抽出することによって上記課題を解決することができる。【選択図】図５
2007323460.tif 000002
【特許請求の範囲】
【請求項１】
ドキュメントの印象を表現する選択肢群を含む印象表現データベースを記憶する記憶手段と、
ドキュメントのデザイン制作の目標とする印象に合った選択肢を前記印象表現データベースから選択させて取得する選択肢取得手段と、
前記選択肢取得手段において第１の時刻に取得された選択肢、及び、前記選択肢取得手段において前記第１の時刻とは異なる第２の時刻に取得された選択肢、に基づいてドキュメントのデザイン制作の目標とする印象を表す目標印象情報を抽出する目標印象情報決定手段と、
を含むことを特徴とするデザイン制作支援装置。
【請求項２】
ドキュメントの印象を表現する選択肢群を含む印象表現データベースを記憶する記憶手段と、
ドキュメントのデザイン制作の目標とする印象に合った選択肢を前記印象表現データベースから選択させて取得する選択肢取得手段と、
前記選択肢取得手段において選択された選択肢の第１の時刻における選択頻度と、前記第１の時刻より後の第２の時刻における選択頻度と、を求め、
前記第１の時刻における選択肢の選択頻度と前記第２の時刻における選択肢の選択頻度との変化に基づいてドキュメントのデザイン制作の目標とする印象を表す目標印象情報を抽出する目標印象情報決定手段と、
を含むことを特徴とするデザイン制作支援装置。
【請求項３】
請求項２に記載のデザイン制作支援装置であって、
前記目標印象情報決定手段では、
前記第１の時刻における選択頻度から前記第２の時刻における選択頻度への増加量を求め、前記増加量が最も多い選択肢を目標印象情報として抽出することを特徴とするデザイン制作支援装置。
【請求項４】
請求項２に記載のデザイン制作支援装置であって、
前記目標印象情報決定手段では、
前記第１の時刻における選択頻度から前記第２の時刻における選択頻度への増減の変化量の絶対値が最も高い選択肢を求め、当該選択肢を目標印象情報として抽出することを特徴とするデザイン制作支援装置。
【請求項５】
請求項２に記載のデザイン制作支援装置であって、
前記目標印象情報決定手段では、
前記第１の時刻における選択頻度から前記第２の時刻における選択頻度への増加量を前記第１の時刻における選択頻度で除した増加率を求め、前記増加率が最も高い選択肢を目標印象情報として抽出することを特徴とするデザイン制作支援装置。
【請求項６】
ドキュメントの印象を表現する選択肢群を含む印象表現データベースと、
ドキュメントを見た人間が感じる印象を表す印象情報に対して、前記印象表現データベースに含まれる選択肢を少なくとも１つずつ関連付けた印象評価データベースと、
を記憶する記憶手段と、
ドキュメントのデザイン制作の目標とする印象に合った選択肢を前記印象表現データベースから選択させて取得する選択肢取得手段と、
前記選択肢取得手段において第１の時刻に取得された選択肢、及び、前記選択肢取得手段において前記第１の時刻とは異なる第２の時刻に取得された選択肢、に基づいて、前記印象表現データベースに登録されている印象情報からドキュメントのデザイン制作の目標とする印象を表す目標印象情報を抽出する目標印象情報決定手段と、
を含むことを特徴とするデザイン制作支援装置。
【請求項７】
ドキュメントの印象を表現する選択肢群を含む印象表現データベースと、
ドキュメントを見た人間が感じる印象を表す印象情報に対して、前記印象表現データベースに含まれる選択肢を少なくとも１つずつ関連付けた印象評価データベースと、
を記憶する記憶手段と、
ドキュメントのデザイン制作の目標とする印象に合った選択肢を前記印象表現データベースから選択させて取得する選択肢取得手段と、
前記印象評価データベースに登録されている印象情報毎に、各印象情報に対応付けられている選択肢の第１の時刻における選択頻度と、前記第１の時刻より後の第２の時刻における選択頻度と、を求め、
前記第１の時刻における選択肢の選択頻度と前記第２の時刻における選択肢の選択頻度との変化に基づいて前記印象評価データベースに登録されている印象情報からドキュメントのデザイン制作の目標とする印象を表す目標印象情報を抽出する目標印象情報決定手段と、
を含むことを特徴とするデザイン制作支援装置。
【請求項８】
請求項７に記載のデザイン制作支援装置であって、
前記目標印象情報決定手段では、
前記印象評価データベースに登録されている印象情報毎に、前記第１の時刻における選択頻度から前記第２の時刻における選択頻度への増加量を求め、
前記印象評価データベースに登録されている印象情報のうち前記増加量が最も多い印象情報を目標印象情報として抽出することを特徴とするデザイン制作支援装置。
【請求項９】
請求項７に記載のデザイン制作支援装置であって、
前記目標印象情報決定手段では、
前記印象評価データベースに登録されている印象情報毎に、前記第１の時刻における選択頻度から前記第２の時刻における選択頻度への増減の変化量の絶対値を求め、
前記印象評価データベースに登録されている印象情報のうち前記増減の変化量の絶対値が最も高い印象情報を目標印象情報として抽出することを特徴とするデザイン制作支援装置。
【請求項１０】
請求項７に記載のデザイン制作支援装置であって、
前記目標印象情報決定手段では、
前記印象評価データベースに登録されている印象情報毎に、前記第１の時刻における選択頻度から前記第２の時刻における選択頻度への増加量を前記第１の時刻における選択頻度で除した増加率を求め、
前記印象評価データベースに登録されている印象情報のうち前記増加率が最も高い印象情報を目標印象情報として抽出することを特徴とするデザイン制作支援装置。
【請求項１１】
請求項１〜１０のいずれか１つに記載のデザイン制作支援装置であって、
出力画面の領域を複数の分割画面領域に分割し、前記分割画面領域毎に情報を割り当て、前記目標印象情報決定手段で抽出された目標印象情報に対応する情報が割り当てられた前記分割画面領域に前記目標印象情報決定手段で抽出された目標印象情報を表示する出力手段を備えることを特徴とするデザイン制作支援装置。
【請求項１２】
ドキュメントの印象を表現する選択肢群を含む印象表現データベースを記憶する記憶手段と、
実際のドキュメントのデザインから受ける印象に合った選択肢を前記印象表現データベースから選択させて取得する選択肢取得手段と、
前記選択肢取得手段において第１の時刻に取得された選択肢、及び、前記選択肢取得手段において前記第１の時刻とは異なる第２の時刻に取得された選択肢、に基づいて実際のドキュメントのデザインから受ける印象を表すユーザ印象情報を抽出するユーザ印象情報決定手段と、
を含むことを特徴とするデザイン制作支援装置。
【請求項１３】
ドキュメントの印象を表現する選択肢群を含む印象表現データベースを記憶する記憶手段と、
実際のドキュメントのデザインから受ける印象に合った選択肢を前記印象表現データベースから選択させて取得する選択肢取得手段と、
前記選択肢取得手段において選択された選択肢の第１の時刻における選択頻度と、前記第１の時刻より後の第２の時刻における選択頻度と、を求め、
前記第１の時刻における選択肢の選択頻度と前記第２の時刻における選択肢の選択頻度との変化に基づいて実際のドキュメントのデザインから受ける印象を表すユーザ印象情報を抽出するユーザ印象情報決定手段と、
を含むことを特徴とするデザイン制作支援装置。
【請求項１４】
請求項１３に記載のデザイン制作支援装置であって、
前記ユーザ印象情報決定手段では、
前記第１の時刻における選択頻度から前記第２の時刻における選択頻度への増加量を求め、前記増加量が最も多い選択肢をユーザ印象情報として抽出することを特徴とするデザイン制作支援装置。
【請求項１５】
請求項１３に記載のデザイン制作支援装置であって、
前記ユーザ印象情報決定手段では、
前記第１の時刻における選択頻度から前記第２の時刻における選択頻度への増減の変化量の絶対値が最も高い選択肢を求め、当該選択肢をユーザ印象情報として抽出することを特徴とするデザイン制作支援装置。
【請求項１６】
請求項１３に記載のデザイン制作支援装置であって、
前記ユーザ印象情報決定手段では、
前記第１の時刻における選択頻度から前記第２の時刻における選択頻度への増加量を前記第１の時刻における選択頻度で除した増加率を求め、前記増加率が最も高い選択肢をユーザ印象情報として抽出することを特徴とするデザイン制作支援装置。
【請求項１７】
ドキュメントの印象を表現する選択肢群を含む印象表現データベースと、
ドキュメントを見た人間が感じる印象を表す印象情報に対して、前記印象表現データベースに含まれる選択肢を少なくとも１つずつ関連付けた印象評価データベースと、
を記憶する記憶手段と、
実際のドキュメントのデザインから受ける印象に合った選択肢を前記印象表現データベースから選択させて取得する選択肢取得手段と、
前記選択肢取得手段において第１の時刻に取得された選択肢、及び、前記選択肢取得手段において前記第１の時刻とは異なる第２の時刻に取得された選択肢に、基づいて、前記印象表現データベースに登録されている印象情報から実際のドキュメントのデザインから受ける印象を表すユーザ印象情報を抽出するユーザ印象情報決定手段と、
を含むことを特徴とするデザイン制作支援装置。
【請求項１８】
ドキュメントの印象を表現する選択肢群を含む印象表現データベースと、
ドキュメントを見た人間が感じる印象を表す印象情報に対して、前記印象表現データベースに含まれる選択肢を少なくとも１つずつ関連付けた印象評価データベースと、
を記憶する記憶手段と、
実際のドキュメントのデザインから受ける印象に合った選択肢を前記印象表現データベースから選択させて取得する選択肢取得手段と、
前記印象評価データベースに登録されている印象情報毎に、各印象情報に対応付けられている選択肢の第１の時刻における選択頻度と、前記第１の時刻より後の第２の時刻における選択頻度と、を求め、
前記第１の時刻における選択肢の選択頻度と前記第２の時刻における選択肢の選択頻度との変化に基づいて前記印象評価データベースに登録されている印象情報から実際のドキュメントのデザインから受ける印象を表すユーザ印象情報を抽出するユーザ印象情報決定手段と、
を含むことを特徴とするデザイン制作支援装置。
【請求項１９】
請求項１８に記載のデザイン制作支援装置であって、
前記ユーザ印象情報決定手段では、
前記印象評価データベースに登録されている印象情報毎に、前記第１の時刻における選択頻度から前記第２の時刻における選択頻度への増加量を求め、
前記印象評価データベースに登録されている印象情報のうち前記増加量が最も多い印象情報をユーザ印象情報として抽出することを特徴とするデザイン制作支援装置。
【請求項２０】
請求項１８に記載のデザイン制作支援装置であって、
前記ユーザ印象情報決定手段では、
前記印象評価データベースに登録されている印象情報毎に、前記第１の時刻における選択頻度から前記第２の時刻における選択頻度への増減の変化量の絶対値を求め、
前記印象評価データベースに登録されている印象情報のうち前記増減の変化量の絶対値が最も高い印象情報をユーザ印象情報として抽出することを特徴とするデザイン制作支援装置。
【請求項２１】
請求項１８に記載のデザイン制作支援装置であって、
前記ユーザ印象情報決定手段では、
前記印象評価データベースに登録されている印象情報毎に、前記第１の時刻における選択頻度から前記第２の時刻における選択頻度への増加量を前記第１の時刻における選択頻度で除した増加率を求め、
前記印象評価データベースに登録されている印象情報のうち前記増加率が最も高い印象情報をユーザ印象情報として抽出することを特徴とするデザイン制作支援装置。
【請求項２２】
請求項１２〜２１のいずれか１つに記載のデザイン制作支援装置であって、
出力画面の領域を複数の分割画面領域に分割し、前記分割画面領域毎に情報を割り当て、前記ユーザ印象情報決定手段で抽出されたユーザ印象情報に対応する情報が割り当てられた前記分割画面領域に前記ユーザ印象情報決定手段で抽出されたユーザ印象情報を表示する出力手段を備えることを特徴とするデザイン制作支援装置。
【請求項２３】
ドキュメントの印象を表現する選択肢群を含む印象表現データベースを記憶する記憶手段を備えるコンピュータを、
ドキュメントのデザイン制作の目標とする印象に合った選択肢を前記印象表現データベースから選択させて取得する選択肢取得手段と、
前記選択肢取得手段において第１の時刻に取得された選択肢、及び、前記選択肢取得手段において前記第１の時刻とは異なる第２の時刻に取得された選択肢、に基づいてドキュメントのデザイン制作の目標とする印象を表す目標印象情報を抽出する目標印象情報決定手段と、
として機能させることを特徴とするデザイン制作支援プログラム。
【請求項２４】
ドキュメントの印象を表現する選択肢群を含む印象表現データベースを記憶する記憶手段を備えるコンピュータを、
ドキュメントのデザイン制作の目標とする印象に合った選択肢を前記印象表現データベースから選択させて取得する選択肢取得手段と、
前記選択肢取得手段において選択された選択肢の第１の時刻における選択頻度と、前記第１の時刻より後の第２の時刻における選択頻度と、を求め、
前記第１の時刻における選択肢の選択頻度と前記第２の時刻における選択肢の選択頻度との変化に基づいてドキュメントのデザイン制作の目標とする印象を表す目標印象情報を抽出する目標印象情報決定手段と、
として機能させることを特徴とするデザイン制作支援プログラム。
【請求項２５】
ドキュメントの印象を表現する選択肢群を含む印象表現データベースと、
ドキュメントを見た人間が感じる印象を表す印象情報に対して、前記印象表現データベースに含まれる選択肢を少なくとも１つずつ関連付けた印象評価データベースと、
を記憶する記憶手段を備えるコンピュータを、
ドキュメントのデザイン制作の目標とする印象に合った選択肢を前記印象表現データベースから選択させて取得する選択肢取得手段と、
前記選択肢取得手段において第１の時刻に取得された選択肢、及び、前記選択肢取得手段において前記第１の時刻とは異なる第２の時刻に取得された選択肢、に基づいて、前記印象表現データベースに登録されている印象情報からドキュメントのデザイン制作の目標とする印象を表す目標印象情報を抽出する目標印象情報決定手段と、
として機能させることを特徴とするデザイン制作支援プログラム。
【請求項２６】
ドキュメントの印象を表現する選択肢群を含む印象表現データベースと、
ドキュメントを見た人間が感じる印象を表す印象情報に対して、前記印象表現データベースに含まれる選択肢を少なくとも１つずつ関連付けた印象評価データベースと、
を記憶する記憶手段を備えるコンピュータを、
ドキュメントのデザイン制作の目標とする印象に合った選択肢を前記印象表現データベースから選択させて取得する選択肢取得手段と、
前記印象評価データベースに登録されている印象情報毎に、各印象情報に対応付けられている選択肢の第１の時刻における選択頻度と、前記第１の時刻より後の第２の時刻における選択頻度と、を求め、
前記第１の時刻における選択肢の選択頻度と前記第２の時刻における選択肢の選択頻度との変化に基づいて前記印象評価データベースに登録されている印象情報からドキュメントのデザイン制作の目標とする印象を表す目標印象情報を抽出する目標印象情報決定手段と、
として機能させることを特徴とするデザイン制作支援プログラム。
【請求項２７】
ドキュメントの印象を表現する選択肢群を含む印象表現データベースを記憶する記憶手段を備えるコンピュータを、
実際のドキュメントのデザインから受ける印象に合った選択肢を前記印象表現データベースから選択させて取得する選択肢取得手段と、
前記選択肢取得手段において第１の時刻に取得された選択肢、及び、前記選択肢取得手段において前記第１の時刻とは異なる第２の時刻に取得された選択肢、に基づいて実際のドキュメントのデザインから受ける印象を表すユーザ印象情報を抽出するユーザ印象情報決定手段と、
として機能させることを特徴とするデザイン制作支援プログラム。
【請求項２８】
ドキュメントの印象を表現する選択肢群を含む印象表現データベースを記憶する記憶手段を備えるコンピュータを、
実際のドキュメントのデザインから受ける印象に合った選択肢を前記印象表現データベースから選択させて取得する選択肢取得手段と、
前記選択肢取得手段において選択された選択肢の第１の時刻における選択頻度と、前記第１の時刻より後の第２の時刻における選択頻度と、を求め、
前記第１の時刻における選択肢の選択頻度と前記第２の時刻における選択肢の選択頻度との変化に基づいて実際のドキュメントのデザインから受ける印象を表すユーザ印象情報を抽出するユーザ印象情報決定手段と、
として機能させることを特徴とするデザイン制作支援プログラム。
【請求項２９】
ドキュメントの印象を表現する選択肢群を含む印象表現データベースと、
ドキュメントを見た人間が感じる印象を表す印象情報に対して、前記印象表現データベースに含まれる選択肢を少なくとも１つずつ関連付けた印象評価データベースと、
を記憶する記憶手段を備えるコンピュータを、
実際のドキュメントのデザインから受ける印象に合った選択肢を前記印象表現データベースから選択させて取得する選択肢取得手段と、
前記選択肢取得手段において第１の時刻に取得された選択肢、及び、前記選択肢取得手段において前記第１の時刻とは異なる第２の時刻に取得された選択肢、に基づいて、前記印象表現データベースに登録されている印象情報から実際のドキュメントのデザインから受ける印象を表すユーザ印象情報を抽出するユーザ印象情報決定手段と、
として機能させることを特徴とするデザイン制作支援プログラム。
【請求項３０】
ドキュメントの印象を表現する選択肢群を含む印象表現データベースと、
ドキュメントを見た人間が感じる印象を表す印象情報に対して、前記印象表現データベースに含まれる選択肢を少なくとも１つずつ関連付けた印象評価データベースと、
を記憶する記憶手段を備えるコンピュータを、
実際のドキュメントのデザインから受ける印象に合った選択肢を前記印象表現データベースから選択させて取得する選択肢取得手段と、
前記印象評価データベースに登録されている印象情報毎に、各印象情報に対応付けられている選択肢の第１の時刻における選択頻度と、前記第１の時刻より後の第２の時刻における選択頻度と、を求め、
前記第１の時刻における選択肢の選択頻度と前記第２の時刻における選択肢の選択頻度との変化に基づいて前記印象評価データベースに登録されている印象情報から実際のドキュメントのデザインから受ける印象を表すユーザ印象情報を抽出するユーザ印象情報決定手段と、
として機能させることを特徴とするデザイン制作支援プログラム。
【発明の詳細な説明】
【技術分野】
【０００１】
本発明は、目標とするデザインの印象、実際に制作されたデザインの印象及びデザインからユーザが受ける印象に基づいてデザイン制作の支援を行うデザイン制作支援装置及びデザイン制作支援プログラムに関する。
【背景技術】
【０００２】
企業のコーポレートマーク、商品、プレゼンテーション資料やウェブサイトのページ等に施されたデザインは顧客や使用者等が受ける印象（イメージ）に対して大きな影響を与える。したがって、そのデザイン制作においては、企業戦略、商品販売戦略、情報提供等をする者が受け手（ユーザ）に対して与えようとする印象を的確に表現することが重要である。
【０００３】
例えば、商品のデザイン制作をデザイン制作者に依頼して行う場合には、図３５に示すように、依頼主であるクライアントが商品やプレゼンテーション資料に必要とされる目標印象を決定し（Ｓ１００）、デザイン制作者がその印象に合致するデザインの制作を行い（Ｓ１０２）、制作されたデザインの印象の評価を行い（Ｓ１０４）、必要とする印象と現実のデザインの印象との相違に基づいて依頼主はデザイン修正が必要な場合は修正を指示し、修正が必要でない場合には最終的なデザインが決定される（Ｓ１０６）。
【０００４】
このようなデザイン制作の中で、商品、プレゼンテーション資料及びウェブページ等のドキュメントの描画・着色を支援するアプリケーションソフトウェアが多数開発されている。これらの多くは、実際の着色をアプリケーションの使用者に委ねており、デザイン制作に不慣れな使用者は印象を的確に表すことが困難である。
【０００５】
そこで、人間の感性に基づいて処理やドキュメントの印象評価を行う方法についての研究がなされている。
【０００６】
特許文献１には、デザイン制作の際に目標となる印象に関する文字情報を目標イメージとして決定する目標イメージ決定工程と、実際に制作されたデザインの印象に関する文字情報をデザインイメージとして求めるデザインイメージ評価工程とを実行し、イメージに関する文字情報を表示画面の各領域に割り当てたイメージマップ画面と、イメージマップ画面の領域のうち目標イメージ情報に対応する領域に目標イメージ情報と、デザインイメージ情報に対応する領域にデザインイメージと、を重ね合わせて表示する技術が開示されている。
【０００７】
【特許文献１】特開２００４−１０２７３４号公報
【発明の開示】
【発明が解決しようとする課題】
【０００８】
ドキュメントのデザイン制作の目標となる印象や実際のドキュメントのデザインから受ける印象は日々変化するものであり、特定の時期（日時）に得られた印象のみでは必ずしも正しい印象評価の結果を得ることができない場合がある。したがって、印象評価を高い精度で行うためには、印象の経時的な変化を考慮した印象評価を行う必要がある。
【０００９】
さらに、ドキュメントの制作時において印象の経時的な変化を考慮することができれば、ドキュメントの閲覧者に対してより効果的な印象を与えるドキュメントを制作することができる。
【００１０】
本発明は、上記従来技術の課題を鑑み、デザイン制作の目標となる目標印象情報や実際のデザインから受けた印象を示すユーザ印象情報を印象の経時的な変化を考慮してより適切に評価することができるデザイン制作支援装置及びデザイン制作支援プログラムを提供することを目的とする。
【課題を解決するための手段】
【００１１】
本発明は、ドキュメントの印象を表現する選択肢群を含む印象表現データベースを記憶する記憶手段と、ドキュメントのデザイン制作の目標とする印象に合った選択肢を前記印象表現データベースから選択させて取得する選択肢取得手段と、前記選択肢取得手段において第１の時刻に取得された選択肢、及び、前記選択肢取得手段において前記第１の時刻とは異なる第２の時刻に取得された選択肢、に基づいてドキュメントのデザイン制作の目標とする印象を表す目標印象情報を抽出する目標印象情報決定手段と、を含むことを特徴とするデザイン制作支援装置である。
【００１２】
上記本発明のデザイン制作支援装置は、コンピュータにおいてデザイン制作支援プログラムを実行することによって実現することができる。すなわち、本発明は、ドキュメントの印象を表現する選択肢群を含む印象表現データベースを記憶する記憶手段を備えるコンピュータを、ドキュメントのデザイン制作の目標とする印象に合った選択肢を前記印象表現データベースから選択させて取得する選択肢取得手段と、前記選択肢取得手段において第１の時刻に取得された選択肢、及び、前記選択肢取得手段において前記第１の時刻とは異なる第２の時刻に取得された選択肢、に基づいてドキュメントのデザイン制作の目標とする印象を表す目標印象情報を抽出する目標印象情報決定手段と、として機能させることを特徴とするデザイン制作支援プログラムにより実現することができる。
【００１３】
また、本発明は、ドキュメントの印象を表現する選択肢群を含む印象表現データベースを記憶する記憶手段と、ドキュメントのデザイン制作の目標とする印象に合った選択肢を前記印象表現データベースから選択させて取得する選択肢取得手段と、前記選択肢取得手段において選択された選択肢の第１の時刻における選択頻度と、前記第１の時刻より後の第２の時刻における選択頻度と、を求め、前記第１の時刻における選択肢の選択頻度と前記第２の時刻における選択肢の選択頻度との変化に基づいてドキュメントのデザイン制作の目標とする印象を表す目標印象情報を抽出する目標印象情報決定手段と、を含むことを特徴とするデザイン制作支援装置である。
【００１４】
上記本発明のデザイン制作支援装置は、コンピュータにおいてデザイン制作支援プログラムを実行することによって実現することができる。すなわち、本発明は、ドキュメントの印象を表現する選択肢群を含む印象表現データベースを記憶する記憶手段を備えるコンピュータを、ドキュメントのデザイン制作の目標とする印象に合った選択肢を前記印象表現データベースから選択させて取得する選択肢取得手段と、前記選択肢取得手段において選択された選択肢の第１の時刻における選択頻度と、前記第１の時刻より後の第２の時刻における選択頻度と、を求め、前記第１の時刻における選択肢の選択頻度と前記第２の時刻における選択肢の選択頻度との変化に基づいてドキュメントのデザイン制作の目標とする印象を表す目標印象情報を抽出する目標印象情報決定手段と、として機能させることを特徴とするデザイン制作支援プログラムにより実現することができる。
【００１５】
ここで、前記目標印象情報決定手段では、前記第１の時刻における選択頻度から前記第２の時刻における選択頻度への増加量を求め、前記増加量が最も多い選択肢を目標印象情報として抽出することが好適である。このように決定された目標印象情報は、デザイン制作において第１に目標とすべきメイン目標印象情報とすることが好ましい。
【００１６】
また、前記目標印象情報決定手段では、前記第１の時刻における選択頻度から前記第２の時刻における選択頻度への増減の変化量の絶対値が最も高い選択肢を求め、当該選択肢を目標印象情報として抽出することが好適である。このように決定された目標印象情報は、デザイン制作においてメイン目標印象情報の次に目標とすべきサブ目標印象情報とすることが好ましい。
【００１７】
また、前記目標印象情報決定手段では、前記第１の時刻における選択頻度から前記第２の時刻における選択頻度への増加量を前記第１の時刻における選択頻度で除した増加率を求め、前記増加率が最も高い選択肢を目標印象情報として抽出することが好適である。このように決定された目標印象情報は、デザイン制作においてデザインにアクセントを付ける際に目標とすべきアクセント目標印象情報とすることが好ましい。
【００１８】
また、本発明は、ドキュメントの印象を表現する選択肢群を含む印象表現データベースと、ドキュメントを見た人間が感じる印象を表す印象情報に対して、前記印象表現データベースに含まれる選択肢を少なくとも１つずつ関連付けた印象評価データベースと、を記憶する記憶手段と、ドキュメントのデザイン制作の目標とする印象に合った選択肢を前記印象表現データベースから選択させて取得する選択肢取得手段と、前記選択肢取得手段において第１の時刻に取得された選択肢、及び、前記選択肢取得手段において前記第１の時刻とは異なる第２の時刻に取得された選択肢、に基づいて、前記印象表現データベースに登録されている印象情報からドキュメントのデザイン制作の目標とする印象を表す目標印象情報を抽出する目標印象情報決定手段と、を含むことを特徴とするデザイン制作支援装置である。
【００１９】
上記本発明のデザイン制作支援装置は、コンピュータにおいてデザイン制作支援プログラムを実行することによって実現することができる。すなわち、本発明は、ドキュメントの印象を表現する選択肢群を含む印象表現データベースと、ドキュメントを見た人間が感じる印象を表す印象情報に対して、前記印象表現データベースに含まれる選択肢を少なくとも１つずつ関連付けた印象評価データベースと、を記憶する記憶手段を備えるコンピュータを、ドキュメントのデザイン制作の目標とする印象に合った選択肢を前記印象表現データベースから選択させて取得する選択肢取得手段と、前記選択肢取得手段において第１の時刻に取得された選択肢、及び、前記選択肢取得手段において前記第１の時刻とは異なる第２の時刻に取得された選択肢、に基づいて、前記印象表現データベースに登録されている印象情報からドキュメントのデザイン制作の目標とする印象を表す目標印象情報を抽出する目標印象情報決定手段と、として機能させることを特徴とするデザイン制作支援プログラムにより実現することができる。
【００２０】
また、本発明は、ドキュメントの印象を表現する選択肢群を含む印象表現データベースと、ドキュメントを見た人間が感じる印象を表す印象情報に対して、前記印象表現データベースに含まれる選択肢を少なくとも１つずつ関連付けた印象評価データベースと、を記憶する記憶手段と、ドキュメントのデザイン制作の目標とする印象に合った選択肢を前記印象表現データベースから選択させて取得する選択肢取得手段と、前記印象評価データベースに登録されている印象情報毎に、各印象情報に対応付けられている選択肢の第１の時刻における選択頻度と、前記第１の時刻より後の第２の時刻における選択頻度と、を求め、前記第１の時刻における選択肢の選択頻度と前記第２の時刻における選択肢の選択頻度との変化に基づいて前記印象評価データベースに登録されている印象情報からドキュメントのデザイン制作の目標とする印象を表す目標印象情報を抽出する目標印象情報決定手段と、を含むことを特徴とするデザイン制作支援装置である。
【００２１】
上記本発明のデザイン制作支援装置は、コンピュータにおいてデザイン制作支援プログラムを実行することによって実現することができる。すなわち、本発明は、ドキュメントの印象を表現する選択肢群を含む印象表現データベースと、ドキュメントを見た人間が感じる印象を表す印象情報に対して、前記印象表現データベースに含まれる選択肢を少なくとも１つずつ関連付けた印象評価データベースと、を記憶する記憶手段を備えるコンピュータを、ドキュメントのデザイン制作の目標とする印象に合った選択肢を前記印象表現データベースから選択させて取得する選択肢取得手段と、前記印象評価データベースに登録されている印象情報毎に、各印象情報に対応付けられている選択肢の第１の時刻における選択頻度と、前記第１の時刻より後の第２の時刻における選択頻度と、を求め、前記第１の時刻における選択肢の選択頻度と前記第２の時刻における選択肢の選択頻度との変化に基づいて前記印象評価データベースに登録されている印象情報からドキュメントのデザイン制作の目標とする印象を表す目標印象情報を抽出する目標印象情報決定手段と、として機能させることを特徴とするデザイン制作支援プログラムにより実現することができる。
【００２２】
ここで、前記目標印象情報決定手段では、前記印象評価データベースに登録されている印象情報毎に、前記第１の時刻における選択頻度から前記第２の時刻における選択頻度への増加量を求め、前記印象評価データベースに登録されている印象情報のうち前記増加量が最も多い印象情報を目標印象情報として抽出することが好適である。このように決定された目標印象情報は、デザイン制作において第１に目標とすべきメイン目標印象情報とすることが好ましい。
【００２３】
また、前記目標印象情報決定手段では、前記第１の時刻における選択頻度から前記第２の時刻における選択頻度への増減の変化量の絶対値が最も高い印象情報を求め、当該印象情報を目標印象情報として抽出することが好適である。このように決定された目標印象情報は、デザイン制作においてメイン目標印象情報の次に目標とすべきサブ目標印象情報とすることが好ましい。
【００２４】
また、前記目標印象情報決定手段では、前記印象評価データベースに登録されている印象情報毎に、前記第１の時刻における選択頻度から前記第２の時刻における選択頻度への増加量を前記第１の時刻における選択頻度で除した増加率を求め、前記印象評価データベースに登録されている印象情報のうち前記増加率が最も高い印象情報を目標印象情報として抽出することが好適である。このように決定された目標印象情報は、デザイン制作においてデザインにアクセントを付ける際に目標とすべきアクセント目標印象情報とすることが好ましい。
【００２５】
さらに、出力画面の領域を複数の分割画面領域に分割し、前記分割画面領域毎に情報を割り当て、前記目標印象情報決定手段で抽出された目標印象情報に対応する情報が割り当てられた前記分割画面領域に前記目標印象情報決定手段で抽出された目標印象情報を表示する出力手段を備えることが好適である。
【００２６】
このように、それぞれの目標印象情報を表示することによって、ユーザにデザイン制作の目標とすべき印象を視覚的に把握し易い態様で呈示することができる。
【００２７】
また、本発明は、ドキュメントの印象を表現する選択肢群を含む印象表現データベースを記憶する記憶手段と、実際のドキュメントのデザインから受ける印象に合った選択肢を前記印象表現データベースから選択させて取得する選択肢取得手段と、前記選択肢取得手段において第１の時刻に取得された選択肢、及び、前記選択肢取得手段において前記第１の時刻とは異なる第２の時刻に取得された選択肢、に基づいて実際のドキュメントのデザインから受ける印象を表すユーザ印象情報を抽出するユーザ印象情報決定手段と、を含むことを特徴とするデザイン制作支援装置である。
【００２８】
上記本発明のデザイン制作支援装置は、コンピュータにおいてデザイン制作支援プログラムを実行することによって実現することができる。すなわち、本発明は、ドキュメントの印象を表現する選択肢群を含む印象表現データベースを記憶する記憶手段を備えるコンピュータを、実際のドキュメントのデザインから受ける印象に合った選択肢を前記印象表現データベースから選択させて取得する選択肢取得手段と、前記選択肢取得手段において第１の時刻に取得された選択肢、及び、前記選択肢取得手段において前記第１の時刻とは異なる第２の時刻に取得された選択肢、に基づいて実際のドキュメントのデザインから受ける印象を表す第２のユーザ印象情報を抽出するユーザ印象情報決定手段と、として機能させることを特徴とするデザイン制作支援プログラムにより実現することができる。
【００２９】
また、本発明は、ドキュメントの印象を表現する選択肢群を含む印象表現データベースを記憶する記憶手段と、実際のドキュメントのデザインから受ける印象に合った選択肢を前記印象表現データベースから選択させて取得する選択肢取得手段と、前記選択肢取得手段において選択された選択肢の第１の時刻における選択頻度と、前記第１の時刻より後の第２の時刻における選択頻度と、を求め、前記第１の時刻における選択肢の選択頻度と前記第２の時刻における選択肢の選択頻度との変化に基づいて実際のドキュメントのデザインから受ける印象を表すユーザ印象情報を抽出するユーザ印象情報決定手段と、を含むことを特徴とするデザイン制作支援装置である。
【００３０】
上記本発明のデザイン制作支援装置は、コンピュータにおいてデザイン制作支援プログラムを実行することによって実現することができる。すなわち、本発明は、ドキュメントの印象を表現する選択肢群を含む印象表現データベースを記憶する記憶手段を備えるコンピュータを、実際のドキュメントのデザインから受ける印象に合った選択肢を前記印象表現データベースから選択させて取得する選択肢取得手段と、前記選択肢取得手段において選択された選択肢の第１の時刻における選択頻度と、前記第１の時刻より後の第２の時刻における選択頻度と、を求め、前記第１の時刻における選択肢の選択頻度と前記第２の時刻における選択肢の選択頻度との変化に基づいて実際のドキュメントのデザインから受ける印象を表すユーザ印象情報を抽出するユーザ印象情報決定手段と、として機能させることを特徴とするデザイン制作支援プログラムにより実現することができる。
【００３１】
ここで、前記ユーザ印象情報決定手段では、前記第１の時刻における選択頻度から前記第２の時刻における選択頻度への増加量を求め、前記増加量が最も多い選択肢をユーザ印象情報として抽出することが好適である。このように決定されたユーザ印象情報は、実際のドキュメントのデザインから最も強く受ける印象であるメインユーザ印象情報とすることが好ましい。
【００３２】
また、前記ユーザ印象情報決定手段では、前記第１の時刻における選択頻度から前記第２の時刻における選択頻度への増減の変化量の絶対値が最も高い選択肢を求め、当該選択肢をユーザ印象情報として抽出することが好適である。このように決定されたユーザ印象情報は、実際のドキュメントのデザインからメインユーザ印象情報に次いで強く受ける印象であるサブユーザ印象情報とすることが好ましい。
【００３３】
また、前記ユーザ印象情報決定手段では、前記第１の時刻における選択頻度から前記第２の時刻における選択頻度への増加量を前記第１の時刻における選択頻度で除した増加率を求め、前記増加率が最も高い選択肢をユーザ印象情報として抽出することが好適である。このように決定されたユーザ印象情報は、実際のドキュメントのデザインにおいてデザインのアクセントとして受ける印象であるアクセントユーザ印象情報とすることが好ましい。
【００３４】
また、本発明は、ドキュメントの印象を表現する選択肢群を含む印象表現データベースと、ドキュメントを見た人間が感じる印象を表す印象情報に対して、前記印象表現データベースに含まれる選択肢を少なくとも１つずつ関連付けた印象評価データベースと、を記憶する記憶手段と、実際のドキュメントのデザインから受ける印象に合った選択肢を前記印象表現データベースから選択させて取得する選択肢取得手段と、前記選択肢取得手段において第１の時刻に取得された選択肢、及び、前記選択肢取得手段において前記第１の時刻とは異なる第２の時刻に取得された選択肢、に基づいて、前記印象表現データベースに登録されている印象情報から実際のドキュメントのデザインから受ける印象を表すユーザ印象情報を抽出するユーザ印象情報決定手段と、を含むことを特徴とするデザイン制作支援装置である。
【００３５】
上記本発明のデザイン制作支援装置は、コンピュータにおいてデザイン制作支援プログラムを実行することによって実現することができる。すなわち、本発明は、ドキュメントの印象を表現する選択肢群を含む印象表現データベースと、ドキュメントを見た人間が感じる印象を表す印象情報に対して、前記印象表現データベースに含まれる選択肢を少なくとも１つずつ関連付けた印象評価データベースと、を記憶する記憶手段を備えるコンピュータを、実際のドキュメントのデザインから受ける印象に合った選択肢を前記印象表現データベースから選択させて取得する選択肢取得手段と、前記選択肢取得手段において第１の時刻に取得された選択肢、及び、前記選択肢取得手段において前記第１の時刻とは異なる第２の時刻に取得された選択肢、に基づいて、前記印象表現データベースに登録されている印象情報から実際のドキュメントのデザインから受ける印象を表すユーザ印象情報を抽出するユーザ印象情報決定手段と、として機能させることを特徴とするデザイン制作支援プログラムにより実現することができる。
【００３６】
また、本発明はドキュメントの印象を表現する選択肢群を含む印象表現データベースと、ドキュメントを見た人間が感じる印象を表す印象情報に対して、前記印象表現データベースに含まれる選択肢を少なくとも１つずつ関連付けた印象評価データベースと、を記憶する記憶手段と、実際のドキュメントのデザインから受ける印象に合った選択肢を前記印象表現データベースから選択させて取得する選択肢取得手段と、前記印象評価データベースに登録されている印象情報毎に、各印象情報に対応付けられている選択肢の第１の時刻における選択頻度と、前記第１の時刻より後の第２の時刻における選択頻度と、を求め、前記第１の時刻における選択頻度と前記第２の時刻における選択肢の選択頻度との変化に基づいて前記印象評価データベースに登録されている印象情報から実際のドキュメントのデザインから受ける印象を表すユーザ印象情報を抽出するユーザ印象情報決定手段と、を含むことを特徴とするデザイン制作支援装置である。
【００３７】
上記本発明のデザイン制作支援装置は、コンピュータにおいてデザイン制作支援プログラムを実行することによって実現することができる。すなわち、本発明は、ドキュメントの印象を表現する選択肢群を含む印象表現データベースと、ドキュメントを見た人間が感じる印象を表す印象情報に対して、前記印象表現データベースに含まれる選択肢を少なくとも１つずつ関連付けた印象評価データベースと、を記憶する記憶手段を備えるコンピュータを、実際のドキュメントのデザインから受ける印象に合った選択肢を前記印象表現データベースから選択させて取得する選択肢取得手段と、前記印象評価データベースに登録されている印象情報毎に、各印象情報に対応付けられている選択肢の第１の時刻における選択頻度と、前記第１の時刻より後の第２の時刻における選択頻度と、を求め、前記第１の時刻における選択肢の選択頻度と前記第２の時刻における選択肢の選択頻度との変化に基づいて前記印象評価データベースに登録されている印象情報から実際のドキュメントのデザインから受ける印象を表すユーザ印象情報を抽出するユーザ印象情報決定手段と、として機能させることを特徴とするデザイン制作支援プログラムにより実現することができる。
【００３８】
ここで、前記ユーザ印象情報決定手段では、前記印象評価データベースに登録されている印象情報毎に、前記第１の時刻における選択頻度から前記第２の時刻における選択頻度への増加量を求め、前記印象評価データベースに登録されている印象情報のうち前記増加量が最も多い印象情報をユーザ印象情報として抽出することが好適である。このように決定されたユーザ印象情報は、実際のドキュメントのデザインから最も強く受ける印象であるメインユーザ印象情報とすることが好ましい。
【００３９】
また、前記ユーザ印象情報決定手段では、前記印象評価データベースに登録されている印象情報毎に、前記第１の時刻における選択頻度から前記第２の時刻における選択頻度への増減の変化量の絶対値が最も高い印象情報を求め、当該印象情報をユーザ印象情報として抽出することが好適である。このように決定されたユーザ印象情報は、実際のドキュメントのデザインからメインユーザ印象情報に次いで強く受ける印象であるサブユーザ印象情報とすることが好ましい。
【００４０】
また、前記ユーザ印象情報決定手段では、前記印象評価データベースに登録されている印象情報毎に、前記第１の時刻における選択頻度から前記第２の時刻における選択頻度への増加量を前記第１の時刻における選択頻度で除した増加率を求め、前記印象評価データベースに登録されている印象情報のうち前記増加率が最も高い印象情報をユーザ印象情報として抽出することが好適である。このように決定されたユーザ印象情報は、実際のドキュメントのデザインにおいてデザインのアクセントとして受ける印象であるアクセントユーザ印象情報とすることが好ましい。
【００４１】
さらに、出力画面の領域を複数の分割画面領域に分割し、前記分割画面領域毎に情報を割り当て、前記ユーザ印象情報決定手段で抽出されたユーザ印象情報に対応する情報が割り当てられた前記分割画面領域に前記ユーザ印象情報決定手段で抽出されたユーザ印象情報を表示する出力手段を備えることが好適である。
【００４２】
このように、それぞれの目標印象情報を表示することによって、ユーザにデザイン制作の目標とすべき印象を視覚的に把握し易い態様で呈示することができる。
【００４３】
なお、本発明における各手段は、コンピュータにおいてデザイン制作支援プログラムを実行することによって、コンピュータで処理される各行程に相当するものである。すなわち、本発明における各手段は、コンピュータでの処理を機能的に表現したものである。
【発明の効果】
【００４４】
本発明によれば、経時的な変化を考慮して、デザイン制作の目標となる目標印象情報や実際のデザインから受けた印象を示すユーザ印象情報を評価することができる。
【発明を実施するための最良の形態】
【００４５】
１．装置構成
本発明の実施の形態におけるデザイン制作支援装置は、図１のように、マネジメントサーバ１００、クライアントコンピュータ１０２ａ，１０２ｂ・・・及びネットワーク１０４から構成される。マネジメントサーバ１００及びクライアントコンピュータ１０２ａ，１０２ｂ・・・は、ネットワーク１０４を介して、情報伝達可能に接続される。
【００４６】
マネジメントサーバ１００は、図２のように、制御部１０、記憶部１２、入力部１４、出力部１６及びネットワークインターフェース部１８から基本的に構成される。
【００４７】
制御部１０は、記憶部１２に保存されたデザイン制作支援プログラムを読み出して実行する。また、処理に必要なデータを入力部１４、ネットワーク１０４から取り込み、記憶部１２に格納する。また、処理に必要な場合には、記憶部１２に保持されたデータを読み出して処理に供する。さらに、処理結果を再び記憶部１２に格納し、必要に応じて出力部１６又はネットワーク１０４に出力する。また、制御部１０は、日時を取得するために用いられる内蔵クロックを備えるものとする。
【００４８】
記憶部１２は、デザイン制作支援プログラム及び入力部１４やネットワークから取り込まれるキーワード等の各種データを格納及び保持する。また、処理に必要とされる印象表現データベース、目標印象情報設定用データベース、印象評価データベース、デザイン評価データベース、デザインデータベース、ユーザ印象情報設定用データベース、ユーザ印象情報データベース、印象表示用データベース等のデータベースを格納及び保持する。各々のデータベースの内容及び使用方法については後述する。記憶部１２としては、主として半導体メモリが用いられるが、例えば、ハードディスク、光ディスク、光磁気ディスク、磁気テープなどの記憶装置を用いることもできる。
【００４９】
入力部１４は、使用者が処理に必要なデータを入力する際に用いられる。入力部１４としては、例えば、キーボード等の文字入力装置やマウス、ライトペン等のポインティングデバイスを用いることができる。また、紙などの記録媒体に作成された既存のプレゼンテーション資料等を電子データとして読み込む場合には、スキャナ等のドキュメント読取装置、音声等を入力する場合にはデジタル信号への変換が可能な音声入力装置を用いることができる。
【００５０】
出力部１６は、処理に必要なデータの入力を促す入力画面、制御部１０での処理結果を示す出力画面等を表示する。出力部１６としては、例えば、ディスプレイ、プリンタ等のドキュメント出力装置を用いることができる。
【００５１】
ネットワークインターフェース部１８は、マネジメントサーバ１００をネットワーク１０４と情報伝達可能に接続するために用いられる。
【００５２】
また、クライアントコンピュータ１０２ａ，１０２ｂ・・・もマネジメントサーバ１００と同様にコンピュータの基本構成を有する。クライアントコンピュータ１０２ａ，１０２ｂ・・・においても、ネットワーク１０４を介することによって、マネジメントサーバ１００に対して処理に必要な情報を送信したり、マネジメントサーバ１００における処理結果を受信したりすることができる。また、以下に示すデザイン制作支援方法の処理の一部をクライアントコンピュータ１０２で実行させてもよい。
【００５３】
２．デザイン制作支援方法
本実施の形態におけるデザイン制作支援方法を、図３を参照して、以下に詳細に説明する。なお、本願請求項に係る発明における各手段は、以下のデザイン制作支援方法の各工程をコンピュータで処理させることによって実現される。
【００５４】
ここで、デザインの制作を行う者（以下、デザイン制作者という）、デザイン制作者に対してデザインの制作を依頼する者（以下、依頼主という）及び制作されたデザインの受け手となる者（以下、ユーザという）がシステムを利用するものとして説明を行う。また、デザイン制作者、依頼主及びユーザのいずれもが行うことができる作業については、一般的に操作者が操作を行うものとする。通常、デザイン制作者、依頼主及びユーザは異なる者であるが、デザイン制作者自身が制作したデザインを適切に修正するときなどは、デザイン制作者、依頼主及びユーザが同一者となる場合もある。
【００５５】
クライアントコンピュータ１０２ａ，１０２ｂ・・・は、ネットワーク１０４を介して、それぞれマネジメントサーバ１００と接続されて通信を行い、いずれもデザイン制作者の端末としても、依頼主の端末としても機能することができる。以下の説明においては便宜上、操作者はマネジメントサーバ１００を用いて処理を行うものとする。
【００５６】
デザイン制作支援方法は、図３のように、ステップＳ１０の目標印象決定工程、ステップＳ２０のデザイン印象評価工程、ステップＳ３０のユーザ印象取得工程及びステップＳ４０の印象提示・修正工程を含んでなる。
【００５７】
これらの各工程は、コンピュータで処理可能なデザイン制作支援プログラムをマネジメントサーバ１００の記憶部１２に格納及び保持し、マネジメントサーバ１００によってそのプログラムを実行することによって実現される。
【００５８】
プログラムの処理が開始されると、ステップＳ０において、図４のように、制御部１０はメインメニュー画面１０００を出力部１６に表示させ、操作者に対して所望の処理を選択するように促す。ここで、メインメニュー画面１０００においては、マウスポインタ５が表示され、所望の処理を示す画面位置をクリックすることによって、各処理の実行が開始される。
【００５９】
また、メインメニュー画面１０００には、制作の対象となっているデザインの識別番号を入力するボックス１５が設けられており、以下の処理において対象となるデータベース等はこのボックス１５に入力された番号で識別されることとなる。
【００６０】
例えば、ボックス１５に識別番号として“９”を入力し、目標印象決定ボタン２０が表示されている位置にマウスポインタ５を移動させ、マウスをクリックすることによって、デザインの識別番号は９となり、ステップＳ１０の目標印象決定工程に処理が移行する。同様に、ステップＳ２０のデザイン印象評価工程、ステップＳ３０のユーザ印象取得工程、ステップＳ４０の印象提示・修正工程に処理を移行させる場合もそれぞれデザイン印象評価ボタン２２、ユーザ印象取得ボタン２４、印象提示・修正ボタン２６が表示されている位置にマウスポインタ５を移動させてマウスをクリックすることによって処理を移行させることができる。
【００６１】
２−１．目標印象決定工程
ステップＳ１０の目標印象決定工程では、制作対象となるデザインに必要とされる印象に関する情報（以下、目標印象情報という）が定められる。本実施形態では、時間経過を考慮してドキュメントのデザイン制作の目標とすべき目標印象情報を設定する。そこで、異なる時期にデザイン制作の依頼者（ユーザ）によって入力された情報に基づいて目標印象情報を設定する処理を行う。目標印象決定工程は、図５に示すフローチャートによって処理される。
【００６２】
まず、ステップＳ１０ａにおいて、制御部１０は、目標印象入力画面１００２を出力部１６に表示させる。目標印象入力画面１００２は、図６に示すように、デザインの印象を表現する複数の情報（選択肢）を提示して、依頼主からデザイン制作の目標となる印象にあった情報（選択肢）を選択させるものである。
【００６３】
ここで、デザインの印象を表現する情報（選択肢）は、デザインの印象を端的に表現する形容詞群からなる文字情報、単一の色を表すカラーパッチの群や複数の色彩を組み合わせたカラーパレットの群からなる色彩情報、デザインの印象を抽象的に表現する抽象画の群からなる画像情報等を、デザイン制作の対象に応じて適宜選択して用いることが好適である。これらの情報は、印象表現データベースとして予め記憶部１２に保存しておくことによって、適宜読み出して用いることができる。
【００６４】
本実施の形態では、まず、図７の印象表現データベースを用いてドキュメントの印象をユーザから取得する。印象表現データベースは、図８に示すような印象マップの全体を網羅する形容詞の表現を含むものである。ここで、印象マップとは、表示画面を複数の領域に分割し、各々の領域をドキュメントの印象を示す領域として割り当てたものである。印象マップには座標軸を設けて、その座標軸に沿って印象が所定の傾向で変化するように構成される。例えば、図８の例では、“暖かい”から“冷たい”までのデザインの暖かさを示すＸ座標と、“柔らかい”から“硬い”までのデザインの硬さを示すＹ座標と、の二つの直交座標を設け、それぞれの印象の変化に沿って印象を表す選択肢（形容詞）が割り当てられている。なお、印象マップへの情報の割り当て方法はこれに限られるものではなく、対象とするデザインの種類に応じて座標軸の設定を変更することが好ましい。
【００６５】
ここでは、図６のように、印象表現データベースから読み出された形容詞が列挙表示された目標印象入力画面１００２を出力部１６に表示させる。
【００６６】
ステップＳ１０ｂでは、依頼主は入力部１４を用いて、デザインに要求される印象に沿った情報を選択する。本実施の形態では、複数の依頼主にデザイン制作の目標とすべき印象に合致する形容詞を選択入力させる。
【００６７】
ドキュメントの制作依頼主は、入力部１４としてマウスを用いて目標印象入力画面１００２に重ね合わせて表示されたマウスポインタ５を移動させ、デザインに要求される印象に合う形容詞に付設されたチェックボックス２８にマウスポインタ５を合わせてマウスをクリックすることによって選択する。選択されたチェックボックス２８には、チェックマークを表示させる。選択が終了すると、マウスポインタ５を決定ボタン２９の位置に移動させ、マウスをクリックすることによって、選択された形容詞の文字情報が記憶部１２に保存される。図６の例では、「あどけない」、「可憐な」及び「メルヘンの」という文字情報が選択され、目標印象情報設定用データベースとして記憶部１２に保存される。
【００６８】
本実施の形態では、上記ステップＳ１０ａ及びＳ１０ｂの選択処理を繰り返すことによって、複数の依頼主（ユーザ）からそれぞれの依頼主がデザイン制作の目標とすべきと考えている印象を示す選択肢を順次取得する。例えば、企業のコーポレートカラーのデザインを制作する際に目標となる印象を決定しようとする場合には、企業内の複数の役員に企業のコーポレートカラーの印象にあった形容詞を選択させる。
【００６９】
複数のユーザによる選択肢の選択処理が終了すると、制御部１０は、形容詞の選択処理が終了した日時を内蔵クロックから取得し、図９に示すように、デザイン識別番号毎に、選択された形容詞及び選択頻度を選択処理が行われた日時に関連付けて目標印象情報設定用データベースに登録する。ここで、選択頻度とは、各形容詞が複数のユーザによって選択された回数を足し合わせた値をいう。
【００７０】
なお、印象を表現する情報の選択方法は、これに限られるものではなく、依頼主の入力が容易に行える方法であれば他の方法を用いても良い。
【００７１】
次に、ステップＳ１０ｃでは、ステップＳ１０ｂで目標印象情報設定用データベースに登録された選択肢（形容詞）及びその選択頻度に基づいて、ドキュメントのデザイン制作における目標印象情報が定められる。目標印象情報は、異なる時期に取得された選択肢及びその選択頻度に基づいて決定される。ここでの処理は、図１０に示すサブルーチンに沿って行われる。
【００７２】
ステップＳ５０では、目標印象情報設定用データベースに異なる２つの時期に取得された形容詞及びその選択頻度が登録されているか否かが判定される。制御部１０は、記憶部１２に記憶されている目標印象情報設定用データベースを参照し、異なる時期に関連付けて形容詞及び選択頻度が登録されている場合にはステップＳ５１に処理を移行させ、そうでない場合には処理をステップＳ０へ戻す。
【００７３】
ステップＳ５１では、デザインの印象を表す印象情報毎に対応する形容詞が選択された頻度の割合が算出される。印象情報は、図１１に示すように、図８と同じ印象マップを複数の領域に区画した場合に、各区画が表す印象を表現する情報である。印象情報は、図１２に示すように、それぞれ印象マップの各区画に少なくとも１つ含まれる形容詞と関連付けられて印象評価データベースとして記憶部１２に予め記憶されている。
【００７４】
制御部１０は、目標印象情報設定用データベースを参照して、印象評価データベースに登録されている印象情報毎に、その印象情報に関連付けられている形容詞の選択回数を足し合わせた選択頻度を算出する。このとき、目標印象情報設定用データベースに形容詞が登録された時期毎に累計値が算出される。そして、印象情報毎に算出された累計値を各時期の全形容詞の総選択頻度で除して頻度割合が算出される。
【００７５】
図９に示すように、第１の時期（２００６年５月１日）にステップＳ１０ｂにおける処理によって取得された形容詞及びその選択頻度と、第１の時期より後の第２の時期（２００６年６月１日）にステップＳ１０ｂにおける処理によって取得された形容詞及びその選択頻度とが目標印象情報設定用データベースに登録されている場合、印象評価データベースが参照されることによって、各印象情報に関連付けられた形容詞が第１の時期に選択された回数の累計値と各印象情報に関連付けられた形容詞が第２の時期に選択された回数の累計値とが算出される。そして、第１の時期における各印象情報に対する累計値を第１の時期に選択された総ての形容詞の選択回数の合計値で割ることによって第１の時期における各印象情報に対する頻度割合が算出される。また、同様に、第２の時期における各印象情報に対する累計値を第２の時期に選択された総ての形容詞の選択回数の合計値で割ることによって第２の時期における各印象情報に対する頻度割合が算出される。
【００７６】
例えば、図１２に示す印象情報データベースでは、印象情報「プリティ」には形容詞「キュートな」、「かわいい」、「子供らしい」及び「あどけない」が関連付けられているので、図９の目標印象情報設定用データベースに登録されているこれらの形容詞の選択頻度を選択時期毎に足し合わせて、第１の時期（２００６年５月１日）の選択頻度は８、第２の時期（２００６年６月１日）の選択頻度は１４となる。さらに、図９において第１の時期及び第２の時期における総ての形容詞の選択回数の合計値が１００であった場合、印象情報「プリティ」に対する第１の時期の選択割合は０．０８及び第２の時期の選択割合は０．１４となる。同様に、他の印象情報についても選択時期毎に選択割合を算出することができる。
【００７７】
ステップＳ５２では、ステップＳ５１で算出された頻度割合に基づいて目標印象情報が決定される。異なる時期毎に算出された各印象情報に対する頻度割合の変化に基づいて目標印象情報を決定する。
【００７８】
ここでは、メイン目標印象情報、サブ目標印象情報及びアクセント目標印象情報が決定される。メイン目標印象情報は、ドキュメントのデザイン制作において主に目標とすべき印象を表す情報を意味する。サブ目標印象情報は、ドキュメントのデザイン制作においてメイン目標印象情報の次に参照すべき印象を表す情報を意味する。アクセント目標印象情報は、ドキュメントのデザイン制作においてデザインにアクセントを与える場合に参照すべき印象を表す情報を意味する。
【００７９】
本実施の形態では、ステップＳ５１で得られた第１の時期の頻度割合から第２の時期の頻度割合の増加量が最も多い印象情報をメイン目標印象情報とし、第１の時期の頻度割合と第２の時期の頻度割合が共に高いが、増減量の変化が少ない、又は減少している印象情報をサブ目標印象情報とし、第１の時期の頻度割合から第２の時期の頻度割合の増加率の最も高い印象情報をアクセント目標印象情報とする。
【００８０】
例えば、図１３に示すように、各印象情報に対するして頻度割合が算出された場合、頻度割合の増加量が最も多い印象情報は「カジュアル」であるので、印象情報「カジュアル」がメイン目標印象情報とされる。また、第１の時期の頻度割合と第２の時期の頻度割合が共に高いが、増減量の変化が少ない、又は減少している印象情報は「ナチュラル」であるので、印象情報「ナチュラル」がサブ目標印象情報とされる。また、第１の時期の頻度割合から第２の時期の頻度割合の増加率の最も高い印象情報は「ダイナミック」であるので、印象情報「ダイナミック」がアクセント目標印象情報とされる。
【００８１】
メイン目標印象情報、サブ目標印象情報及びアクセント目標印象情報を決定すると、制御部１０は、それらの情報を記憶部１２に記憶させた後に、処理をメインルーチンＳ０へ戻す。
【００８２】
以上のように、本実施の形態では、ユーザによって異なる時期にドキュメントのデザイン制作の目標とすべき印象を表す形容詞を選択させ、その選択状況の経時的な変化に基づいてドキュメントのデザイン制作で参照すべき目標印象情報を決定する。したがって、デザイン制作の初期段階だけでなく、デザイン制作中やデザイン制作後におけるユーザの印象の変化を考慮したうえで、メイン目標印象情報、サブ目標印象情報及びアクセント目標印象情報のようにデザイン制作で参考とすべき様々な印象を的確に評価することができる。
【００８３】
なお、各目標印象情報を決定する条件は上記の条件に限定されるものではない。第１の時期と第２の時期との印象情報毎の形容詞（選択肢）の選択の統計値の変化に基づいて目標印象情報を決定することに本発明の基本的な技術的な思想がある。例えば、第１の時期の印象情報毎の形容詞（選択肢）の選択の分散と第２の時期の印象情報毎の形容詞（選択肢）の選択の分散とを算出し、第１の時期と第２の時期とにおいて分散の変化が最も小さい印象情報をメイン目標印象情報とし、分散の変化が最も大きい印象情報をサブ目標印象情報としてもよい。
【００８４】
＜変形例＞
目標印象情報の決定方法は上記実施の形態の方法に限定されるものではない。上記実施の形態では、印象マップ上に割り付けられた印象情報毎に形容詞の選択頻度割合を算出して、複数の印象情報から目標印象情報を選択した。本変形例では、印象マップ上に割り付けられた形容詞（選択肢）毎に選択頻度割合を算出し、形容詞群（選択肢群）から目標印象情報を選択する。
【００８５】
本変形例における処理は、基本的に図５に示すフローチャートに沿って行われるが、ステップＳ１０ｃにおける処理が異なる。ステップＳ１０ｃにおける処理は、図１４に示すサブルーチンに沿って処理される。
【００８６】
ステップＳ６０では、目標印象情報設定用データベースに異なる２つの時期に取得された形容詞及びその選択頻度が登録されているか否かが判定される。制御部１０は、記憶部１２に記憶されている目標印象情報設定用データベースを参照し、異なる時期に関連付けて形容詞及び選択頻度が登録されている場合にはステップＳ６１に処理を移行させ、そうでない場合には処理をステップＳ０へ戻す。
【００８７】
ステップＳ６１では、選択された形容詞毎に選択された頻度の割合が求められる。制御部１０は、目標印象情報設定用データベースを参照して、形容詞の選択回数を足し合わせた選択頻度を読み出す。そして、形容詞毎に算出された選択頻度を各時期に選択された全形容詞の総選択頻度で除して頻度割合が算出される。
【００８８】
例えば、第１の時期にステップＳ１０ｂにおける処理によって取得された形容詞及びその選択頻度と、第１の時期より後の第２の時期にステップＳ１０ｂにおける処理によって取得された形容詞及びその選択頻度とが目標印象情報設定用データベースに登録されている場合、第１の時期における形容詞選択の累計値と第２の時期における形容詞選択の累計値とが選択頻度として読み出される。そして、第１の時期における各形容詞に対する選択頻度を第１の時期に選択された全形容詞の総選択頻度で割ることによって第１の時期における各形容詞に対する頻度割合が算出される。また、同様に、第２の時期における各形容詞に対する選択頻度を第２の時期に選択された全形容詞の総選択頻度で割ることによって第２の時期における各形容詞に対する頻度割合が算出される。
【００８９】
例えば、図９の目標印象情報設定用データベースに登録されているこれらの形容詞の選択頻度を読み出すと、第１の時期における形容詞「キュートな」の選択頻度は２、第２の時期における形容詞「キュートな」の選択頻度は５となる。同様に他の形容詞についても選択頻度が読み出される。そして、それらの選択頻度を選択時期毎に全選択頻度で割ることによって選択割合を求めることができる。
【００９０】
ステップＳ６２では、ステップＳ６１で算出された頻度割合に基づいて目標印象情報が決定される。異なる時期毎に算出された各形容詞に対する頻度割合の変化に基づいて目標印象情報を決定する。
【００９１】
本実施の形態では、ステップＳ６１で得られた第１の時期の各形容詞に対する頻度割合から第２の時期の各形容詞に対する頻度割合の増加量が最も多い形容詞をメイン目標印象情報とし、第１の時期の各形容詞に対する頻度割合と第２の時期の各形容詞に対する頻度割合との増減あわせて最も頻度割合の高い形容詞をサブ目標印象情報とし、第１の時期の各形容詞に対する頻度割合から第２の時期の各形容詞に対する頻度割合の増加率の最も高い形容詞をアクセント目標印象情報とする。このように、本変形例では、選択肢として用いられた形容詞自体を目標印象情報とする点で上記実施の形態と相違する。
【００９２】
メイン目標印象情報、サブ目標印象情報及びアクセント目標印象情報を決定すると、制御部１０は、これらの情報を記憶部１２に記憶させた後に、処理をメインルーチンＳ０へ戻す。
【００９３】
もちろん、形容詞以外の選択肢を用いた場合にも同様に処理を行うことができる。例えば、カラーパッチの群やカラーパレットの群からなる色彩情報、デザインの印象を抽象的に表現する抽象画の群からなる画像情報等を用いた場合には、ステップＳ１０ｂで選択された色彩情報毎又は画像情報毎に異なる時期毎の選択割合を求め、第１の時期の頻度割合から第２の時期の頻度割合の増加量が最も多い色彩情報又は画像情報をメイン目標印象情報とし、第１の時期の頻度割合と第２の時期の頻度割合との増減あわせて最も頻度割合の高い色彩情報又は画像情報をサブ目標印象情報とし、第１の時期の頻度割合から第２の時期の頻度割合の増加率の最も高い色彩情報又は画像情報をアクセント目標印象情報とすることができる。
【００９４】
なお、各目標印象情報を決定する条件は上記の条件に限定されるものではない。第１の時期と第２の時期との印象情報毎の形容詞（選択肢）の選択の統計値の変化に基づいて目標印象情報を決定することに本発明の基本的な技術的な思想がある。例えば、第１の時期の印象情報毎の形容詞（選択肢）の選択の分散と第２の時期の印象情報毎の形容詞（選択肢）の選択の分散とを算出し、第１の時期と第２の時期とにおいて分散の変化が最も小さい印象情報をメイン目標印象情報とし、分散の変化が最も大きい印象情報をサブ目標印象情報としてもよい。
【００９５】
２−２．デザイン印象評価工程
ステップＳ０において、デザイン印象評価ボタン２２がクリックされると、ステップＳ２０のデザイン印象評価工程に処理が移行される。
【００９６】
ステップＳ２０のデザイン印象評価工程においては、ドキュメントのデザインの印象に関する情報（以下、デザイン印象情報という）が抽出される。デザイン印象評価工程は、図１５のフローチャートに沿って処理される。
【００９７】
まず、ステップＳ２０ａにおいて、実際のドキュメントデータを取り込み、記憶部１２に格納及び保持する。制御部１０は、図１６のように、デザイン取込画面１００４を出力部１６に表示して、デザイン制作者に対して評価対象となるデザインに関するドキュメントの入力を促す。
【００９８】
例えば、デザイン制作者はウェブページをデザインし、それを予めネットワーク１０４上にアップロードしておく。次に、デザイン取込画面１００４のＵＲＬ入力ボックス３０にそのウェブページのＵＲＬを入力し、デザイン取込画面１００４上に表示されたマウスポインタ５をウェブデザイン取込ボタン３２に移動させて、マウスをクリックすることによって、デザイン印象評価の対象となるウェブページの取得先を指定する。制御部１０は指定を受けると、ネットワーク１０４を介して、指定されたＵＲＬからウェブページのドキュメントデータを取り込む。取り込まれたドキュメントデータは、図１７のように、ドキュメントデータの識別情報（例えばＵＲＬ）と関連付けられてデザインデータベースとして記憶部１２に順次蓄積される。
【００９９】
なお、デザインの識別番号に対して、未だデザインデータベースが生成されていない場合には、デザインの識別番号に関連付けて新たなデザインデータベースを生成する。一方、既にデザインの識別番号に対するデザインデータベースが存在している場合には、既存のデザインデータベースに対してドキュメントデータの識別情報及びドキュメントデータが付加的に蓄積される。
【０１００】
また、制作したウェブページのみならず、例えば、競合他社のウェブページのＵＲＬを指定することによって、それらのウェブページのドキュメントデータを取り込んで評価することも可能である。
【０１０１】
なお、デザイン制作の対象がプレゼンテーション資料、新商品又は企業のブランドロゴ等である場合には、スキャナ等の読取装置を用いて、ドキュメントデータを取り込むことも好適である。この場合、デザイン取込画面１００４のドキュメント取込ボタン３４をクリックすることによって、既存のドキュメント読取ツールを起動するようにすることが好ましい。
【０１０２】
以下の説明では、例として図１８のウェブページのドキュメントが取り込まれたものとする。
【０１０３】
ステップＳ２０ｂでは、取り込まれたドキュメントデータが人間に与える印象の評価を行う。デザインの印象評価には、特願２００２−１８７５２２号等の既存の評価手段を用いることができる。
【０１０４】
すなわち、制御部１０は被評価ドキュメントの画像データを記憶部１２から読み出し、図１８のように領域分割する。領域分割には、既存の画像領域分割ツールを用いることができる。次に、面積、位置、大きさ、色平均、他の領域との色差等の物理的特徴量を分割された領域毎に抽出する。
【０１０５】
ここで、各領域は、ＲＧＢ色空間からＬ＊ａ＊ｂ＊色空間に変換した後に視覚的な特徴量を抽出することが好適である。通常、コンピュータで利用されるドキュメントデータは、不均等色空間であるＲＧＢ色空間によって表現されていることが多く、人の感覚に近い分析ができない。そこで、不均等色空間であるＲＧＢ色空間から均等色空間であるＬ＊ａ＊ｂ＊色空間に変換することによって、より人の感性に近い印象として分析・評価することができる。また、Ｌ＊ａ＊ｂ＊空間はドキュメントのダイナミックレンジを表現できる点からも好適である。勿論、ドキュメントデータが既にＬ＊ａ＊ｂ＊色空間で表現されている場合には変換をする必要はない。
【０１０６】
また、物理的な特徴量とは、着目領域の面積、着目領域の幅ｗ及び高さｈ、左上の位置ｘ，ｙ、着目領域全体の色平均、Ｌ＊成分の平均値、ａ＊成分の平均値、ｂ＊成分の平均値、ドキュメント全体の色平均と着目領域全体の色平均の色差ΔＬ＊ａ＊ｂ＊、着目領域と近接する領域との色平均の色差ΔｎＬ＊ａ＊ｂ＊、背景と着目領域との色平均の色差ΔｂＬ＊ａ＊ｂ＊、着目領域内における色の分散、同色数などの特徴をいう。また、ドキュメントデータの背景領域、背景領域を除く最も大きな領域を持つメイン領域及びメイン領域に対してアクセントとなるアクセント領域から平均色を抽出して特徴量としてもよい。
【０１０７】
一方、物理的特徴量の組み合わせに対してデザイン印象情報を関連付けてデザイン評価データベースとして記憶部１２に格納及び保持する。例えば、図１９のように、背景領域、背景領域を除く最も大きな領域を持つメイン領域及びメイン領域に対してアクセントとなるアクセント領域の各領域の色彩（図中ではハッチングで示す）の組を生成し、それらの色彩の組から人間が受ける印象を表すデザイン印象情報を関連付けて保存しておく。
【０１０８】
このデザイン評価データベースに基づいて、実際のドキュメントデータの背景領域、メイン領域及びアクセント領域から平均色を抽出し、その平均色の組み合わせからデザイン印象情報を決定することができる。抽出されたデザイン印象情報は、図１７のように、ドキュメントデータの識別番号及び評価対象となったドキュメントデータと関連付けられてデザインデータベースとして記憶部１２に格納及び保持される。
【０１０９】
例えば、図１８のドキュメントデータの背景領域、メイン領域及びアクセント領域の各領域から平均色を抽出すると、図１９のデザイン評価データベースに基づいて、「ナチュラル」というデザイン印象情報を求めることができる。
【０１１０】
なお、印象に関する情報を抽出するために用いることができる特徴量は、領域の面積、領域の幅ｗ及び高さｈ、左上の位置ｘ，ｙ、領域全体の色平均、Ｌ＊成分の平均値、ａ＊成分の平均値、ｂ＊成分の平均値、全体の色平均と着目領域全体の色平均の色差ΔＬ＊ａ＊ｂ＊、着目領域と近接する領域との色平均の色差ΔｎＬ＊ａ＊ｂ＊、背景と着目領域との色平均の色差ΔｂＬ＊ａ＊ｂ＊、着目領域内における色の分散、同色数を用いてもよい。
【０１１１】
また、これらの特徴量を組み合わせた条件とドキュメントの印象に関する表現情報とを関連付けた多次元の表現情報データベースを用いてもよい。このように、出来る限り多くの特徴量を組み合わせることにより、ドキュメントが人間に与える印象をより詳細なものとすることができる。特に、ドキュメント領域間の色差など、異なるドキュメント領域間の特徴量の差異を含んだ条件を用いることにより、被評価ドキュメントの中で強いコントラストを持つ箇所等から受ける印象を表す表現情報を抽出することも可能となる。
【０１１２】
また、ドキュメントデータから得られた物理的特徴量そのものをデザイン印象情報とすることも好適である。例えば、ドキュメントデータの背景領域、メイン領域及びアクセント領域の平均色の組み合わせ自体をカラーパレットとしてデザイン印象情報としても良い。
【０１１３】
デザイン印象が選定されると、デザイン印象評価工程を終了し、制御部１０は、ステップＳ０に制御を戻す。なお、本実施の形態では、ドキュメントを複数の領域に分割して処理を行ったが、１つのドキュメント全体に対して処理を行ってもよい。
【０１１４】
２−３．ユーザ印象取得工程
ステップＳ０において、ユーザ印象取得ボタン２４がクリックされると、ステップＳ３０のユーザ印象取得工程に処理が移行される。
【０１１５】
ステップＳ３０のユーザ印象取得工程では、ステップＳ２０で取り込まれたドキュメントデータからユーザが受ける印象（以下、ユーザ印象情報という）が定められる。ユーザ印象取得工程は、図２０に示すフローチャートによって処理される。
【０１１６】
まず、ステップＳ３０ａにおいて、制御部１０は、ドキュメントデータ選択画面１００６を出力部１６に表示させ、ステップＳ２０で取り込まれたドキュメントデータのうち印象取得の対象となるドキュメントデータの選択を促す。
【０１１７】
ドキュメントデータ選択画面１００６は、図２１に示すように、記憶部１２のデザインデータベースに保持されているドキュメントデータに関する情報を画面上に列挙して表示し、いずれのドキュメントデータに対するユーザ印象情報を取得するか、を選択させるものが好適である。ただし、ドキュメントデータ選択画面１００６の態様はこれに限られるものではなく、デザインデータベースに保持されているドキュメントデータの選択が可能であれば良い。
【０１１８】
ドキュメントデータに対する印象の入力を行うユーザは、マウス等の入力部１４を用いて、ドキュメントデータ選択画面１００６のドキュメントデータ（画像データ）に関する各情報に設けられたチェックボックス４０へマウスポインタ５を移動させ、マウスをクリックすることによって情報を選ぶ。次に、選択決定ボタン４２にマウスポインタ５を移動させてマウスをクリックすることにより、ドキュメントデータの選択を決定する。
【０１１９】
ステップＳ３０ｂでは、制御部１０は、ユーザ印象入力画面１００８を出力部１６に表示させ、ドキュメントデータを見たユーザが受ける印象の入力を促す。ユーザ印象入力画面１００８は、図２２のように、選択されたドキュメントデータの内容を表示する領域４３と、デザインの印象を表現する情報（選択肢）を列挙表示する領域４４とに分割される。
【０１２０】
制御部１０は、記憶部１２に保持されているデザインデータベースから、ステップＳ３０ａで選択されたドキュメントデータを読み出し、そのドキュメントデータをドキュメントデータ表示領域４３に画像形成して表示する。例えば、ウェブページのドキュメントデータが選択された場合、図２２のように、デザインデータベースからそのドキュメントデータのＵＲＬを読み出し、そのＵＲＬからそのドキュメントデータを取り込んでディスプレイ上に表示する。
【０１２１】
さらに、制御部１０は、記憶部１２に保持されている印象表現データベースからデザインの印象を表現する情報（選択肢）を読み出し、印象表現表示領域４４に表示させる。印象表現データベースに含まれる印象を表現する情報（選択肢）は、ステップＳ１０の目標印象決定工程と同様、デザインの印象を表現する複数の形容詞、単一の色からなるカラーパッチや色彩の組からなるカラーパレットを含む色彩情報、デザインの印象を抽象的に表現する抽象画群等からドキュメントデータの種類に応じて適宜選択して用いることが好適である。
【０１２２】
本実施の形態では、図７の印象情報データベースから複数の形容詞群からなる文字情報を読み出して印象表現表示領域４４に表示させる。
【０１２３】
次に、ステップＳ３０ｃにおいて、ユーザは、入力部１４を用いて、ドキュメントデータ表示領域４３に表示されたドキュメントのデザインを見たときに感ずる印象に合った情報を選択する。
【０１２４】
例えば、図２２のように、形容詞が列挙された印象表現表示領域４４にマウスポインタ５を表示しておき、ユーザはマウスを用いて、デザインから受ける印象に合致する形容詞に設けられたチェックボックス４６にマウスポインタ５を移動させ、マウスをクリックして選択する。選択されたチェックボックス４６にはチェックマークを表示させる。スクロールボタン４８上にマウスポインタ５を移動させ、マウスをクリックすることにより形容詞の表示を適宜変更することができる。形容詞の選択が終了すると、マウスポインタ５を決定ボタン４７の位置まで移動させてマウスをクリックすることによって、選択された形容詞の文字情報が記憶部１２に保存される。
【０１２５】
本実施の形態では、上記ステップＳ３０ａ〜Ｓ３０ｃの選択処理を繰り返すことによって複数のユーザから実際のデザインから受けた印象を示す選択肢を順次取得する。複数のユーザによる選択肢の選択処理が終了すると、制御部１０は、形容詞の選択処理が終了した日時を内蔵クロックから取得し、図２３に示すように、デザイン識別番号及びドキュメントデータ毎に、選択された形容詞及びその選択頻度を選択処理が行われた日時に関連付けてユーザ印象情報設定用データベースに登録する。なお、印象を表現する情報の選択方法は、これに限られるものではなく、ユーザがドキュメントのデザインに対する印象を容易に入力できるものであればよい。
【０１２６】
ステップＳ３０ｄでは、ステップＳ３０ｃでユーザ印象情報設定用データベースに登録された選択肢（形容詞）及びその選択頻度に基づいて、実際のドキュメントから受ける印象を示すユーザ印象情報が決定される。ここでの処理は、図２４に示すサブルーチンに沿って行われる。
【０１２７】
ステップＳ７０では、ユーザ印象情報設定用データベースに異なる２つの時期に取得された形容詞及びその選択頻度が登録されているか否かが判定される。制御部１０は、記憶部１２に記憶されているユーザ印象情報設定用データベースを参照し、異なる時期に関連付けられて形容詞及びその選択頻度が登録されている場合にはステップＳ７１に処理を移行させ、そうでない場合には処理をステップＳ０へ戻す。
【０１２８】
ステップＳ７１では、デザインの印象を表す印象情報毎に対応する形容詞が選択された頻度の割合が算出される。印象情報は、目標印象情報の決定処理と同様に、図１１に示すように、図８と同じ印象マップを複数の領域に区画した場合に、各区画が表す印象を表現する情報である。
【０１２９】
制御部１０は、ユーザ印象情報設定用データベースを参照して、印象評価データベースに登録されている印象情報毎に、その印象情報に関連づけられている形容詞の選択頻度を足し合わせた選択頻度を算出する。このとき、デザイン識別番号及びドキュメントデータの組み合わせ毎に、ユーザ印象情報設定用データベースに形容詞が登録された時期毎に各印象情報が選択された累計値を算出する。そして、デザイン識別番号及びドキュメントデータの組み合わせ毎に、印象情報毎に算出された累計値を各時期における全形容詞の総選択頻度で除して頻度割合が算出される。
【０１３０】
例えば、図２３に示すように、デザイン識別番号“９”及びドキュメントデータ「画像データＡ」の組み合わせに対して、第１の時期（２００６年５月１日）にステップＳ３０における処理によって取得された形容詞及びその選択頻度と、第１の時期より後の第２の時期（２００６年６月１日）にステップＳ３０ｃにおける処理によって取得された形容詞及びその選択頻度とがユーザ印象情報設定用データベースに登録されている場合、印象情報データベースが参照されることによって、デザイン識別番号及びドキュメントデータの組み合わせ毎に、各印象情報に関連付けられた形容詞が第１の時期に選択された回数の累計値と各印象情報に関連付けられた形容詞が第２の時期に選択された回数の累計値とが算出される。そして、第１の時期における各印象情報に対する累計値を、そのデザイン識別番号及びドキュメントデータの組み合わせに対して第１の時期に選択された形容詞の選択回数の合計値で除することによって第１の時期における各印象情報に対する頻度割合が算出される。また、同様に、第２の時期における各印象情報に対する累計値を、デザイン識別番号及びドキュメントデータの組み合わせに対して第２の時期に選択された総ての形容詞の選択回数の合計値で除することによって第２の時期における各印象情報に対する頻度割合が算出される。
【０１３１】
ステップＳ７２では、ステップＳ７１で算出された頻度割合に基づいてユーザ印象情報が決定される。本実施の形態では、異なる時期に算出された各印象情報に対する頻度割合の変化に基づいてユーザ印象情報が決定される。
【０１３２】
ここでは、メインユーザ印象情報、サブユーザ印象情報及びアクセントユーザ印象情報が決定される。メインユーザ印象情報は、実際に制作されたドキュメントのデザインからユーザが受ける最も強い印象を示す情報を意味する。サブユーザ印象情報は、実際に制作されたドキュメントのデザインからユーザが受ける印象であってメインユーザ印象情報の次に強い印象を示す情報を意味する。アクセントユーザ印象情報は、実際に制作されたドキュメントのデザインにおいてメインユーザ印象情報に対して強いコントラストを示す印象を示す情報を意味する。
【０１３３】
本実施の形態では、ステップＳ７１において得られた第１の時期の頻度割合から第２の時期の頻度割合の増加量が最も多い印象情報をメインユーザ印象情報とし、第１の時期の頻度割合と第２の時期の頻度割合が共に高いが、増減量の変化が少ない、又は減少している印象情報をサブユーザ印象情報とし、第１の時期の頻度割合から第２の時期の頻度割合の増加率の最も高い印象情報をアクセントユーザ印象情報とする。
【０１３４】
メインユーザ印象情報、サブユーザ印象情報及びアクセントユーザ印象情報を決定すると、制御部１０は、図２５に示すように、これらの情報をデザイン識別番号及びドキュメントデータ毎にユーザ印象情報データベースとして記憶部１２に記憶させた後に、処理をメインルーチンＳ０へ戻す。
【０１３５】
以上のように、本実施の形態では、ユーザによって異なる時期に実際のドキュメントのデザインから受ける印象を表す形容詞を選択させ、その選択状況の経時的な変化に基づいて実際のドキュメントのデザインが表す印象をユーザ印象情報として決定することができる。すなわち、ドキュメントのデザインを最初に観たときの印象と、その後、しばらく経ってから同じデザインを観たときの印象と、印象の時間的な変化をも考慮して印象を的確に評価することができる。
【０１３６】
なお、各ユーザ印象情報を決定する条件は上記の条件に限定されるものではない。第１の時期と第２の時期との印象情報毎の形容詞（選択肢）の選択の統計値の変化に基づいてユーザ印象情報を決定することに本発明の基本的な技術的な思想がある。例えば、第１の時期の印象情報毎の形容詞（選択肢）の選択の分散と第２の時期の印象情報毎の形容詞（選択肢）の選択の分散とを算出し、第１の時期と第２の時期とにおいて分散の変化が最も小さい印象情報をメインユーザ印象情報とし、分散の変化が最も大きい印象情報をサブユーザ印象情報としてもよい。
【０１３７】
＜変形例＞
ユーザ印象情報の決定方法は上記実施の形態の方法に限定されるものではない。上記実施の形態では、印象マップ上に割り付けられた印象情報毎に形容詞の選択頻度割合を算出して、複数の印象情報から目標印象情報を選択した。本変形例では、印象マップ上に割り付けられた形容詞（選択肢）自体の選択頻度割合に基づいてユーザ印象情報を決定する。
【０１３８】
本変形例における処理は、基本的に図２０に示すフローチャートに沿って行われるが、ステップＳ３０ｄにおける処理が異なる。ステップＳ３０ｄにおける処理は、図２６に示すサブルーチンに沿って処理される。
【０１３９】
ステップＳ８０では、ユーザ印象情報設定用データベースに異なる２つの時期に取得された形容詞及びその選択頻度が登録されているか否かが判定される。制御部１０は、記憶部１２に記憶されているユーザ印象情報設定用データベースを参照し、異なる時期に関連付けて形容詞及び選択頻度が登録されている場合にはステップＳ８１に処理を移行させ、そうでない場合には処理をステップＳ０へ戻す。
【０１４０】
ステップＳ８１では、選択された形容毎に選択された頻度の割合が求められる。制御部１０は、ユーザ印象情報設定用データベースを参照して、デザイン識別番号及びドキュメントデータの組み合わせ毎に形容詞の選択回数を足し合わせた選択頻度を読み出す。そして、形容詞毎に算出された選択頻度をそのデザイン識別番号及びドキュメントデータの組み合わせに対して各時期に選択された全形容詞の総選択頻度で除して頻度割合が算出される。
【０１４１】
例えば、第１の時期にステップＳ３０ｃにおける処理によって取得された形容詞及びその選択頻度と、第１の時期より後の第２の時期にステップＳ３０ｃにおける処理によって取得された形容詞及びその選択頻度とがユーザ印象情報設定用データベースに登録されている場合、第１の時期における形容詞選択の累計値と第２の時期における形容詞選択の累計値とが選択頻度として読み出される。そして、第１の時期における各形容詞に対する選択頻度を第１の時期に選択された全形容詞の総選択頻度で割ることによって第１の時期における各形容詞に対する頻度割合が算出される。また、同様に、第２の時期における各形容詞に対する選択頻度を第２の時期に選択された全形容詞の総選択頻度で割ることによって第２の時期における各形容詞に対する頻度割合が算出される。
【０１４２】
例えば、図２３のユーザ印象情報設定用データベースに登録されているデザイン識別番号“９”及びドキュメントデータ「画像データＡ」に対する形容詞の選択頻度を読み出すと、第１の時期における形容詞「キュートな」の選択頻度は２、第２の時期における形容詞「キュートな」の選択頻度は５となる。同様に他の形容詞についても選択頻度が読み出される。そして、デザイン識別番号“９”及びドキュメントデータ「画像データＡ」の組み合わせに対して、それらの選択頻度を選択時期毎に全選択頻度で割ることによって選択割合を求めることができる。
【０１４３】
ステップＳ８２では、ステップＳ８１で算出された頻度割合に基づいてユーザ印象情報が決定される。異なる時期毎に算出された各形容詞に対する頻度割合の変化に基づいてユーザ印象情報を決定する。
【０１４４】
本実施の形態では、デザイン識別番号及びドキュメントデータの組み合わせ毎に、ステップＳ８１で得られた第１の時期の各形容詞に対する頻度割合から第２の時期の各形容詞に対する頻度割合の増加量が最も多い形容詞をメインユーザ印象情報とし、第１の時期の各形容詞に対する頻度割合と第２の時期の各形容詞に対する頻度割合との増減あわせて最も頻度割合の高い形容詞をサブユーザ印象情報とし、第１の時期の各形容詞に対する頻度割合から第２の時期の各形容詞に対する頻度割合の増加率の最も高い形容詞をアクセントユーザ印象情報とする。このように、本変形例では、選択肢として用いられた形容詞自体をユーザ印象情報とする点で上記実施の形態と相違する。
【０１４５】
メインユーザ印象情報、サブユーザ印象情報及びアクセントユーザ印象情報を決定すると、制御部１０は、これらの情報をデザイン識別番号及びドキュメントデータの組み合わせに関連付けてユーザ印象情報データベースとして記憶部１２に記憶させた後に、処理をメインルーチンＳ０へ戻す。
【０１４６】
もちろん、形容詞以外の選択肢を用いた場合にも同様に処理を行うことができる。例えば、カラーパッチの群やカラーパレットの群からなる色彩情報、デザインの印象を抽象的に表現する抽象画の群からなる画像情報等を用いた場合には、ステップＳ３０ｃで選択された色彩情報毎又は画像情報毎に異なる時期毎の選択割合を求め、第１の時期の頻度割合から第２の時期の頻度割合の増加量が最も多い色彩情報又は画像情報をメインユーザ印象情報とし、第１の時期の頻度割合と第２の時期の頻度割合との増減あわせて最も頻度割合の高い色彩情報又は画像情報をサブユーザ印象情報とし、第１の時期の頻度割合から第２の時期の頻度割合の増加率の最も高い色彩情報又は画像情報をアクセントユーザ印象情報とすることができる。
【０１４７】
なお、各目標印象情報を決定する条件は上記の条件に限定されるものではない。第１の時期と第２の時期との印象情報毎の形容詞（選択肢）の選択の統計値の変化に基づいてユーザ印象情報を決定することに本発明の基本的な技術的な思想がある。例えば、第１の時期の印象情報毎の形容詞（選択肢）の選択の分散と第２の時期の印象情報毎の形容詞（選択肢）の選択の分散とを算出し、第１の時期と第２の時期とにおいて分散の変化が最も小さい印象情報をメインユーザ印象情報とし、分散の変化が最も大きい印象情報をサブユーザ印象情報としてもよい。
【０１４８】
２−４．印象提示・修正工程
ステップＳ０において、印象提示・修正工程ボタン２６がクリックされると、ステップＳ４０の印象提示・修正工程に処理が移行される。
【０１４９】
ステップＳ４０の印象提示・修正工程は、図２７に示すフローチャートに沿って実行され、ステップＳ１０で求めた目標印象情報、ステップＳ２０で求めたデザイン印象情報及びステップＳ３０で求めたユーザ印象情報の表示を行う。
【０１５０】
まず、ステップＳ４０ａにおいて、制御部１０は、表示選択画面１０１０を出力部１６に表示させ、いずれの情報の表示を行うかを操作者に選択させる。表示選択画面１０１０では、図２８のように、表示の対象となるデザインの識別番号を入力ボックス５４に入力する。また、チェックボックス５０を選択して、決定ボタン５２をクリックすることによって、目標印象情報、デザイン印象情報及びユーザ印象情報の中から表示する情報を選択する。
【０１５１】
次に、表示する情報の入力を受けた制御部１０は、ステップＳ４０ｂにおいて、印象マップ画面１０１２上に目標印象情報、デザイン印象情報又はユーザ印象情報を表示する。
【０１５２】
印象マップ画面１０１２は、図２９のように、複数の領域に分割されており、各々の領域に領域識別番号が付与されている。一方、記憶部１２には、図３０に示すように、印象表示用データベースとして、領域識別番号毎に印象表現データベースに登録されている印象情報が対応付けられて保持されている。
【０１５３】
制御部１０は、印象表示用データベースを参照することによって、目標印象情報、デザイン印象情報又はユーザ印象情報に対応付けられている領域識別番号を抽出する。そして、抽出された領域識別番号が付与された印象マップ画面１０１２上の領域に対応する各情報を表示する。
【０１５４】
印象マップ画面１０１２には、図８に示した印象マップと同様に、各座標軸に沿って印象が所定の傾向で変化していくように領域識別番号を割り付けることが好適である。例えば、図２９に示す印象マップ画面１０１２の例では、“暖かい”から“冷たい”までのデザインの暖かさを示すＸ座標と、“柔らかい”から“硬い”までのデザインの硬さを示すＹ座標と、の二つの直交座標を設け、それぞれの印象の変化に沿って印象を表す印象情報が割り当てられている。なお、印象マップ画面１０１２上への情報の割り当て方法はこれに限られるものではなく、対象とするデザインの種類に応じて座標軸の設定を変更することが好ましい。
【０１５５】
ステップＳ４０ａにおいて目標印象情報が選択された場合、目標印象情報が印象マップ画面１０１２に重ね合わせて表示される。本実施の形態では、ステップＳ４０ｂにおいて指定されたデザイン識別番号に対応付けられているメイン目標印象情報、サブ目標印象情報及びアクセント目標印象情報が記憶部１２から読み出される。次に、印象表示用データベースが参照されて、読み出されたメイン目標印象情報、サブ目標印象情報及びアクセント目標印象情報に関連付けられている領域識別番号が抽出される。そして、図３１に示すように、印象マップ画面１０１２上における各領域識別番号が割り当てられた領域にそれぞれ対応するメイン目標印象情報、サブ目標印象情報及びアクセント目標印象情報が表示される。
【０１５６】
印象マップ画面１０１２上に表示された各目標印象情報は複数のユーザから得られたデザイン制作の目標となる印象の傾向を考慮した適切なものとなる。特に、本実施の形態では、各目標印象情報は、ユーザ（デザイン制作の依頼者等）が目標とすべき印象の時間的な変化を考慮して目標印象情報が決定されているので、従来よりもデザイン制作の目標とすべき印象を的確に示すことができる。
【０１５７】
ステップＳ４０ａにおいてデザイン印象情報が選択された場合、図３２に示すように、デザイン印象情報が印象マップ画面１０１２に重ね合わせて表示される。ステップＳ４０ｂにおいて指定されたデザイン識別番号に対応付けられているデザイン印象情報が記憶部１２に記憶されているデザインデータベースから読み出される。次に、印象表示用データベースが参照されて、読み出されたデザイン印象情報に関連付けられている領域識別番号が抽出される。そして、図３２に示すように、印象マップ画像１０１２上における各領域識別番号が割り当てられた領域にデザイン印象情報が表示される。
【０１５８】
このとき、デザインデータベースに含まれるドキュメントデータ毎に情報の表示色を変更する等して、表示された情報の識別を容易にすることが好ましい。また、各々のデザイン印象情報の代わりに、又は、各々のデザイン印象情報と併せて、それらに対応するドキュメントのデザインを表示することも好適である。
【０１５９】
ステップＳ４０ａにおいてユーザ印象情報が選択された場合、ユーザ印象情報が印象マップ画面１０１２に重ね合わせて表示される。本実施の形態では、ステップＳ４０ｂにおいて指定されたデザイン識別番号に対応付けられているメインユーザ印象情報、サブユーザ印象情報及びアクセントユーザ印象情報が記憶部１２から読み出される。次に、印象表示用データベースが参照されて、読み出されたメインユーザ印象情報、サブユーザ印象情報及びアクセントユーザ印象情報に関連付けられている領域識別番号が抽出される。そして、図３３に示すように、印象マップ画面１０１２上における各領域識別番号が割り当てられた領域にそれぞれ対応するメインユーザ印象情報、サブユーザ印象情報及びアクセントユーザ印象情報が表示される。このとき、ユーザ印象情報データベースに含まれるドキュメントデータ毎に情報の表示色を変更する等して、表示された情報の識別を容易にすることが好ましい。
【０１６０】
印象マップ画面１０１２上に表示された各ユーザ印象情報は複数のユーザから得られた実際のデザインの印象の傾向を考慮した適切なものとなる。特に、本実施の形態では、各ユーザ印象情報は、ユーザ（デザインを実際に見た閲覧者）が実際のデザインから受けた印象の時間的な変化を考慮してユーザ印象情報が決定されているので、従来よりも実際のデザインから受ける印象を的確に示すことができる。
【０１６１】
さらに、ステップＳ４０ａにおいて、目標印象情報とデザイン印象情報の両方が選択された場合、図３４に示すように、デザイン識別番号に関連付けられた目標印象情報及びデザイン印象情報の両方が印象マップ画面１０１２に重ね合わせて表示される。同様に、目標印象情報とユーザ印象情報の両方が選択された場合、デザイン印象情報とユーザ印象情報の両方が選択された場合、又は目標印象情報、デザイン印象情報及びユーザ印象情報の全てが選択された場合にも各々の情報を印象マップ画面１０１２に重ね合わせて表示する。
【０１６２】
このように、目標印象情報、デザイン印象情報及びユーザ印象情報を１つの印象マップ画面１０１２に重ね合わせて表示することによって、デザイン制作者、依頼主及びユーザがデザイン制作の目標となる印象、実際のデザインが有する印象及び実際のデザインからユーザが受け取る印象を視覚的に比較しながら確認することができる。このとき、印象マップ画面１０１２上では、各々の情報が印象傾向を示す座標軸に沿って表示されるため、目標となる印象、実際のデザインの印象及びユーザの受け取る印象がどの程度相違するのか、その相違はどのような傾向であるのか、等を明確に把握することができる。
【０１６３】
さらに、ステップＳ２０において、他社のウェブページや他の商品のデザインに対してデザイン印象情報を求めておくことにより、これらの情報と目標印象情報を比較して確認することもできる。これにより、他社のウェブページや他の商品の印象と制作するデザインの目標印象との一致又は相違を把握することが容易となる。
【０１６４】
なお、上記変形例のように、選択肢自体（形容詞）を目標印象情報やユーザ印象情報とした場合には、印象マップ画面１０１２の領域識別番号毎に選択肢自体（形容詞）を関連付けて印象表示用データベースとして登録しておき、各目標印象情報及び各ユーザ印象情報に関連付けられた領域識別番号を抽出して、その領域識別番号で特定される印象マップ画面１０１２上の領域に対応する目標印象情報及びユーザ印象情報を表示させればよい。
【０１６５】
また、印象マップ画面１０１２上の各領域に抽象画を対応付けておき、目標印象情報、デザイン印象情報及びユーザ印象情報として形容詞の代わり、又は、形容詞と共に抽象画を目標印象情報、デザイン印象情報及びユーザ印象情報に対応する領域に表示しても良い。カラーパレットを用いた場合も同様である。
【０１６６】
さらに、本実施の形態では、デザイン印象の修正に役立つ情報の提示を行うこともできる。印象マップ画面１０１２に設けられたデザイン印象修正情報提示ボタン６５にマウスポインタ５を移動させ、マウスをクリックすることによって、操作者がデザイン印象情報の修正に必要な情報を提示することもできる。例えば、印象マップ画面１０１２の各領域に割り当てられた印象に相応しいデザインの背景領域、メイン領域及びアクセント領域の色彩の組み合わせを予めデータベース化しておき、目標印象情報が表示された領域に対応する色彩の組を印象マップ画面１０１２に重ね合わせて表示させることが好適である。デザインを表示された色彩の組み合わせに変更することで、デザイン制作の目標とする目標印象情報に近づけることができる。
【０１６７】
このように、デザイン修正の支援情報の提示を同一の印象マップ画面１０１２上において行うことによって、目標とする印象、実際のデザインの印象、ユーザが受け取る印象を視覚的に確認しながら作業を行うことができる。
【０１６８】
すなわち、本実施の形態によれば、デザイン制作の目標となる印象、実際のデザインが有する印象及び実際のデザインからユーザが受ける印象の一致や相違を同一の印象マップ画面上で確認することができる。
【０１６９】
それにより、依頼主やデザイン制作者はデザイン制作の目標印象設定の適否を視覚的に把握することができ、目標印象やデザイン印象の修正を容易に行うことが可能となる。また、デザイン制作の作業において依頼主とデザイン制作者との情報の擦り合わせが容易となって作業を円滑に行うことができる。
【０１７０】
さらに、依頼主が目標とする印象や制作したデザインからユーザが受ける印象に基づいて、デザインの修正の方向性を見出すことが容易となる。
【０１７１】
なお、上記実施の形態においては、ウェブページ、プレゼンテーション資料、商品のデザイン等の視覚的なデザインを対象としたが、コマーシャル音声等の音声データに対しても目標印象情報、デザイン印象情報及びユーザ印象情報を取得して、同一の印象マップ画面上に表示することで同様の効果を得ることができる。
【図面の簡単な説明】
【０１７２】
【図１】本発明の実施の形態におけるデザイン制作支援装置の全体構成のブロック図である。
【図２】本発明の実施の形態におけるマネジメントサーバの構成のブロック図である。
【図３】本発明の実施の形態におけるデザイン制作支援方法のメインのフローチャートである。
【図４】本発明の実施の形態におけるメインメニュー画面を示す図である。
【図５】本発明の実施の形態における目標印象決定工程のフローチャートである。
【図６】本発明の実施の形態における目標印象入力画面を示す図である。
【図７】本発明の実施の形態における印象表現データベースを示す図である。
【図８】本発明の実施の形態における印象マップを示す図である。
【図９】本発明の実施の形態における目標印象情報設定用データベースを示す図である。
【図１０】本発明の実施の形態における目標印象情報の決定処理のサブルーチンを示すフローチャートである。
【図１１】本発明の実施の形態における印象マップを示す図である。
【図１２】本発明の実施の形態における印象評価データベースを示す図である。
【図１３】本発明の実施の形態におけるメイン目標印象情報、サブ目標印象情報及びアクセント目標印象情報の決定方法を説明する図である。
【図１４】本発明の変形例における目標印象情報の決定処理のサブルーチンを示すフローチャートである。
【図１５】本発明の実施の形態におけるデザイン印象評価工程のフローチャートである。
【図１６】本発明の実施の形態におけるデザイン印象評価画面を示す図である。
【図１７】本発明の実施の形態におけるデザインデータベースを示す図である。
【図１８】本発明の実施の形態におけるウェブページの例を示す図である。
【図１９】本発明の実施の形態におけるデザイン評価データベースを示す図である。
【図２０】本発明の実施の形態におけるユーザ印象取得工程のフローチャートである。
【図２１】本発明の実施の形態におけるドキュメントデータ選択画面を示す図である。
【図２２】本発明の実施の形態におけるユーザ印象入力画面を示す図である。
【図２３】本発明の実施の形態におけるユーザ印象情報設定用データベースを示す図である。
【図２４】本発明の実施の形態におけるユーザ印象情報の決定処理のサブルーチンを示すフローチャートである。
【図２５】本発明の実施の形態におけるユーザ印象情報データベースを示す図である。
【図２６】本発明の変形例におけるユーザ印象情報の決定処理のサブルーチンを示すフローチャートである。
【図２７】本発明の実施の形態における印象提示・修正工程のフローチャートである。
【図２８】本発明の実施の形態における表示選択画面を示す図である。
【図２９】本発明の実施の形態における印象マップ画面を示す図である。
【図３０】本発明の実施の形態における印象表示用データベースを示す図である。
【図３１】目標印象情報を重ね合わせて表示した印象マップ画面を示す図である。
【図３２】デザイン印象情報及びドキュメントデータを重ね合わせて表示した印象マップ画面を示す図である。
【図３３】ユーザ印象情報を重ね合わせて表示した印象マップ画面を示す図である。
【図３４】目標印象情報、デザイン印象情報及びドキュメントデータを重ね合わせて表示した印象マップ画面を示す図である。
【図３５】デザイン制作のフローチャートである。
【符号の説明】
【０１７３】
５  マウスポインタ、１０  制御部、１２  記憶部、１４  入力部、１５  入力ボックス、１６  出力部、１８  ネットワークインターフェース部、２０  目標印象決定ボタン、２２  デザイン印象評価ボタン、２４  ユーザ印象取得ボタン、２６  印象提示・修正ボタン、２８  チェックボックス、２９  決定ボタン、３０  入力ボックス、３２  ウェブデザイン取込ボタン、３４  ドキュメント取込ボタン、３６  背景領域、３７  メイン領域、３８  アクセント領域、４０  チェックボックス、４２  選択決定ボタン、４３  ドキュメントデータ表示領域、４４  印象表現表示領域、４６  チェックボックス、４７  決定ボタン、４８  スクロールボタン、５０  チェックボックス、５２  決定ボタン、５４  入力ボックス、６０  印象情報表示領域、６２ａ  Ｘ座標軸、６２ｂ  Ｙ座標軸、６４  目標印象修正ボタン、６５  デザイン印象修正情報提示ボタン、６８  ドキュメントデータの表示、１００  マネジメントサーバ、１０２ａ，１０２ｂ，１０２ｃ  クライアントコンピュータ、１０４  ネットワーク、１０００  メインメニュー画面、１００２  目標印象入力画面、１００４  デザイン取込画面、１００６  ドキュメントデータ選択画面、１００８  ユーザ印象入力画面、１０１０  表示選択画面、１０１２  印象マップ画面。
【図１】
2007323460.tif 000003
【図２】
2007323460.tif 000004
【図３】
2007323460.tif 000005
【図４】
2007323460.tif 000006
【図５】
2007323460.tif 000007
【図６】
2007323460.tif 000008
【図７】
2007323460.tif 000009
【図８】
2007323460.tif 000010
【図９】
2007323460.tif 000011
【図１０】
2007323460.tif 000012
【図１１】
2007323460.tif 000013
【図１２】
2007323460.tif 000014
【図１３】
2007323460.tif 000015
【図１４】
2007323460.tif 000016
【図１５】
2007323460.tif 000017
【図１６】
2007323460.tif 000018
【図１７】
2007323460.tif 000019
【図１８】
2007323460.tif 000020
【図１９】
2007323460.tif 000021
【図２０】
2007323460.tif 000022
【図２１】
2007323460.tif 000023
【図２２】
2007323460.tif 000024
【図２３】
2007323460.tif 000025
【図２４】
2007323460.tif 000026
【図２５】
2007323460.tif 000027
【図２６】
2007323460.tif 000028
【図２７】
2007323460.tif 000029
【図２８】
2007323460.tif 000030
【図２９】
2007323460.tif 000031
【図３０】
2007323460.tif 000032
【図３１】
2007323460.tif 000033
【図３２】
2007323460.tif 000034
【図３３】
2007323460.tif 000035
【図３４】
2007323460.tif 000036
【図３５】
2007323460.tif 000037